(57)【要約】  ＤＣにおいて設定されるＵＥによる方法には、ネットワークノードから、測定ギャップ長の構成情報を、１つまたは複数の無線測定を実行するために、受信することが含まれる。ＳＣＧ内の測定ギャップ長を設定可能なＭＣＧ内の測定ギャップ長に関してＭＣＧとＳＣＧの間におけるサブフレームペアが決定される。少なくともＳＣＧ内で、決定されたサブフレームペアを用いて測定ギャップ長が決定される。設定された測定ギャップ長の範囲内で、ＳＣＧにおける１つまたは複数の無線測定が実行される。関連するＵＥ、ネットワークノードによる方法、およびネットワークノードが開示される。【選択図】図６
2018502479.tif 000002
【特許請求の範囲】
【請求項１】
デュアルコネクティビティ（ＤＣ）において設定される、ユーザ機器（ＵＥ）による方法であって、
ネットワークノードから、測定ギャップ長の構成情報を、１つまたは複数の無線測定を実行するために、受信すること（６００）と、
マスタセルグループ（ＭＣＧ）とセカンダリセルグループ（ＳＣＧ）の間で、前記ＳＣＧ内の測定ギャップ長を設定可能な前記ＭＣＧ内の測定ギャップ長に関して、サブフレームペアを決定すること（６０２）と、
少なくとも前記ＳＣＧ内の前記測定ギャップ長を、前記決定されたサブフレームペアを用いて設定すること（６０４）と、
前記設定された測定ギャップ長の範囲内で、前記ＳＣＧにおける１つまたは複数の無線測定を実行すること（６０６）と
を含む、方法。
【請求項２】
前記ＳＣＧ内の規定されたサブフレーム上での送信および受信を、前記ＳＣＧ内の前記設定された測定ギャップ長の間、禁止すること（７００）
をさらに含む、請求項１に記載の方法。
【請求項３】
前記ＳＣＧ内の前記規定されたサブフレームが第７のサブフレームであり、前記ＳＣＧ内の前記測定ギャップが第１のサブフレームから開始する、請求項２に記載の方法。
【請求項４】
前記ＵＥにおいて受信される、前記ＭＣＧおよび前記ＳＣＧのサブフレーム境界からの信号の同期レベルを決定すること（８０２）と、
前記同期レベルに基づき、前記ＭＣＧと前記ＳＣＧの間のサブフレームペアの決定（６０２）を実行するか否かを決定すること（８０４）と、
前記ＭＣＧおよび前記ＳＣＧにおける前記測定ギャップ長を、前記ＭＣＧと前記ＳＣＧの間のサブフレームペアの決定（６０２）を実行することによって決定された前記ＭＣＧと前記ＳＣＧの間のサブフレームペアに基づき、決定すること（８０６）と、
前記決定された測定ギャップ長を用いて特定された測定ギャップ中に無線測定を実行すること（８０８）と
をさらに含む、請求項１に記載の方法。
【請求項５】
前記ＵＥにおいて受信される、前記ＭＣＧおよび前記ＳＣＧのサブフレーム境界からの信号の同期レベルを決定すること（８０２）が、
前記ＵＥにおいて受信される、前記ＭＣＧおよび前記ＳＣＧからの信号の受信時間差異に基づき、前記同期レベルを決定すること
を含む、請求項４に記載の方法。
【請求項６】
ＭＣＧとＳＣＧの間で、前記ＳＣＧ内の測定ギャップ長を設定可能な前記ＭＣＧ内の測定ギャップ長に関して、サブフレームペアを決定すること（６０２）が、
前記サブフレームペアのうちの１つを、規定されたタイムスロット内で相互に重なる前記ＭＣＧ内のサブフレームと前記ＳＣＧ内のサブフレームとして特定すること
を含む、請求項１に記載の方法。
【請求項７】
前記規定されたタイムスロットが、前記ＭＣＧサブフレーム内の前記サブフレームにおける第１のタイムスロットであり、かつ前記ＳＣＧサブフレーム内の前記サブフレームにおける第１のタイムスロットである、請求項６に記載の方法。
【請求項８】
前記ＳＣＧの前記規定されたタイムスロットに先行する前記ＭＣＧの前記規定されたタイムスロットに応答して、第１のサブフレームから第６のサブフレームまでを前記ＭＣＧおよびＳＣＧのための前記測定ギャップ長として使用し、前記第１のサブフレームの直前のサブフレームの間は前記ＵＥが受信および送信することを禁止し、
前記ＭＣＧの前記規定されたタイムスロットに先行する前記ＳＣＧの前記規定されたタイムスロットに応答して、前記第１のサブフレームから前記第６のサブフレームまでを前記ＭＣＧおよびＳＣＧのための前記測定ギャップ長として使用し、前記第６のサブフレームの直後の前記サブフレームの間は前記ＵＥが受信および送信することを禁止する、
請求項７に記載の方法。
【請求項９】
ＭＣＧとＳＣＧの間で、前記ＳＣＧ内の測定ギャップ長を設定可能な前記ＭＣＧ内の測定ギャップ長に関して、サブフレームペアを決定すること（６０２）が、ＭＣＧギャップ中の規定されたサブフレームの後に開始する前記ＳＣＧ内のサブフレームを特定することを含み、
少なくとも前記ＳＣＧ内の前記測定ギャップ長を、前記決定されたサブフレームペアを用いて設定すること（６０４）が、前記ＳＣＧ内の前記測定ギャップ長を、前記ＭＣＧギャップ内の前記規定されたサブフレームの後に開始するものと特定された前記ＳＣＧ内の前記サブフレームを使用して設定することを含む
請求項１に記載の方法。
【請求項１０】
前記ＭＣＧギャップ内の前記規定されたサブフレームが、前記ＭＣＧの測定ギャップ中の前記第１のサブフレームである、請求項９に記載の方法。
【請求項１１】
デュアルコネクティビティ（ＤＣ）において設定される、ユーザ機器（ＵＥ）（１１００）であって、
ネットワークノード（１２００）から、測定ギャップ長の構成情報を、１つまたは複数の無線測定を実行するために、受信すること（６００）と、
マスタセルグループ（ＭＣＧ）とセカンダリセルグループ（ＳＣＧ）の間で、前記ＳＣＧ内の測定ギャップ長を設定可能な前記ＭＣＧ内の測定ギャップ長に関して、サブフレームペアを決定すること（６０２）と、
少なくとも前記ＳＣＧ内の前記測定ギャップ長を、前記決定されたサブフレームペアを用いて設定すること（６０４）と、
前記設定された測定ギャップ長の範囲内で、前記ＳＣＧにおける１つまたは複数の無線測定を実行すること（６０６）と
を行うように設定される、ＵＥ（１１００）。
【請求項１２】
前記ＵＥ（１１００）による、前記ＳＣＧ内の規定されたサブフレーム上での送信および受信を、前記ＳＣＧ内の前記設定された測定ギャップ長の間、禁止すること（７００）
を行うようにさらに設定される、請求項１１に記載のＵＥ（１１００）。
【請求項１３】
前記ＳＣＧ内の前記規定されたサブフレームが第７のサブフレームであり、前記ＳＣＧ内の前記測定ギャップが第１のサブフレームから開始する、請求項１２に記載のＵＥ（１１００）。
【請求項１４】
前記ＵＥにおいて受信される、前記ＭＣＧおよび前記ＳＣＧのサブフレーム境界からの信号の同期レベルを決定すること（８０２）と、
前記同期レベルに基づき、前記ＭＣＧと前記ＳＣＧの間のサブフレームペアの決定（６０２）を実行するか否かを決定すること（８０４）と、
前記ＭＣＧおよび前記ＳＣＧにおける前記測定ギャップ長を、前記ＭＣＧと前記ＳＣＧの間のサブフレームペアの決定（６０２）を実行することによって決定された前記ＭＣＧと前記ＳＣＧの間のサブフレームペアに基づき、決定すること（８０６）と、
前記決定された測定ギャップ長を用いて特定された測定ギャップ中に無線測定を実行すること（８０８）と
を行うようにさらに設定される、請求項１１に記載のＵＥ（１１００）。
【請求項１５】
前記ＵＥにおいて受信される、前記ＭＣＧおよび前記ＳＣＧのサブフレーム境界からの信号の同期レベルを決定すること（８０２）が、
前記ＵＥにおいて受信される、前記ＭＣＧおよび前記ＳＣＧからの信号の受信時間差異に基づき、前記同期レベルを決定すること
を含む、請求項１４に記載のＵＥ（１１００）。
【請求項１６】
ＭＣＧとＳＣＧの間で、前記ＳＣＧ内の測定ギャップ長を設定可能な前記ＭＣＧ内の測定ギャップ長に関して、サブフレームペアを決定すること（６０２）が、
前記サブフレームペアのうちの１つを、規定されたタイムスロット内で相互に重なる前記ＭＣＧ内のサブフレームと前記ＳＣＧ内のサブフレームとして特定すること
を含む、請求項１１に記載のＵＥ（１１００）。
【請求項１７】
前記規定されたタイムスロットが、前記ＭＣＧサブフレーム内の前記サブフレームにおける第１のタイムスロットであり、かつ前記ＳＣＧサブフレーム内の前記サブフレームにおける第１のタイムスロットである、請求項１６に記載のＵＥ（１１００）。
【請求項１８】
前記ＳＣＧの前記規定されたタイムスロットに先行する前記ＭＣＧの前記規定されたタイムスロットに応答して、第１のサブフレームから第６のサブフレームまでを前記ＭＣＧおよびＳＣＧのための前記測定ギャップ長として使用すること、および前記第１のサブフレームの直前のサブフレームの間は前記ＵＥが受信および送信することを禁止することと、
前記ＭＣＧの前記規定されたタイムスロットに先行する前記ＳＣＧの前記規定されたタイムスロットに応答して、前記第１のサブフレームから前記第６のサブフレームまでを前記ＭＣＧおよびＳＣＧのための前記測定ギャップ長として使用すること、および前記第６のサブフレームの直後の前記サブフレームの間は前記ＵＥが受信および送信することを禁止することと
を行うようにさらに設定される、請求項１７に記載のＵＥ（１１００）。
【請求項１９】
ＭＣＧとＳＣＧの間で、前記ＳＣＧ内の測定ギャップ長を設定可能な前記ＭＣＧ内の測定ギャップ長に関して、サブフレームペアを決定すること（６０２）であって、ＭＣＧギャップ中の規定されたサブフレームの後に開始する前記ＳＣＧ内のサブフレームを特定することを含む、決定すること（６０２）と、
少なくとも前記ＳＣＧ内の前記測定ギャップ長を、前記決定されたサブフレームペアを用いて設定すること（６０４）であって、前記ＳＣＧ内の前記測定ギャップ長を、前記ＭＣＧギャップ内の前記規定されたサブフレームの後に開始するものと特定された前記ＳＣＧ内の前記サブフレームを使用して設定することを含む、設定すること（６０４）と
を行うようにさらに設定される、請求項１１に記載のＵＥ（１１００）。
【請求項２０】
デュアルコネクティビティ（ＤＣ）において設定される、ユーザ機器（ＵＥ）にサーブするネットワークノードによる方法であって、
前記ＵＥにおいて受信される、マスタセルグループ（ＭＣＧ）およびセカンダリセルグループ（ＳＣＧ）のサブフレーム境界からの信号の同期レベルを決定すること（９００）と、
前記ＵＥが非同期型ＤＣにおいて設定されているかどうか、または非同期型ＤＣと同期型ＤＣのどちらで前記ＵＥが動作しているかを前記ネットワークノードが前記同期レベルから確認することが不可能でないかどうかを決定すること（９０２）と、
前記ＵＥが非同期型ＤＣにおいて設定されている、または非同期型ＤＣと同期型ＤＣのどちらで前記ＵＥが動作しているかを前記ネットワークノードが前記同期レベルから確認することが不可能であるという決定（９０２）に基づいて、
１つまたは複数の基準に基づき、複数の事前規定された規則のうちの１つを選択すること（９０４）であって、前記事前規定された規則のうちの前記選択された１つが、前記ＵＥが前記ＭＣＧおよび前記ＳＣＧにおける測定ギャップ長を決定するために前記ＭＣＧおよび前記ＳＣＧからのサブフレームをペアリングすることを可能にする、選択すること（９０４）と、
前記ＵＥを、前記複数の事前規定された規則のうちの前記選択された１つを用いて設定すること（９０６）と、
前記ＵＥを、前記測定ギャップ長に基づく１つまたは複数の無線測定の実行に向けて動作させるために、前記測定ギャップ長を用いて設定すること（９０８）と
を含む、方法。
【請求項２１】
前記ＵＥを、前記複数の事前規定された規則のうちの前記選択された１つを用いて設定すること（９０６）が、
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することを含む、請求項２０に記載の方法。
【請求項２２】
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することが、
規定されたタイムスロット内で相互に重なる前記ＭＣＧ内のサブフレームと前記ＳＣＧ内のサブフレームとして前記サブフレームペアのうちの１つを特定するように前記ＵＥを設定するための前記構成情報を送信することを含む、請求項２１に記載の方法。
【請求項２３】
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することが、
ＭＣＧギャップ中の規定されたサブフレームの後に開始する前記ＳＣＧ内のサブフレームを特定するように前記ＵＥを設定するための前記構成情報を送信することを含む、請求項２１に記載の方法。
【請求項２４】
ＵＥが測定ギャップの前または後のサブフレームでの送信のためにスケジューリングされないように、前記ＵＥにアサインするリソースをスケジューリングすること
をさらに含む、請求項２０に記載の方法。
【請求項２５】
前記測定ギャップの前または後の前記サブフレームにおいて送信することが可能な別のＵＥにアサインするリソースをスケジューリングすること
をさらに含む、請求項２４に記載の方法。
【請求項２６】
デュアルコネクティビティ（ＤＣ）において設定される、ユーザ機器（ＵＥ）（１１００）にサーブするネットワークノード（１２００）であって、
前記ＵＥ（１１００）において受信される、マスタセルグループ（ＭＣＧ）およびセカンダリセルグループ（ＳＣＧ）のサブフレーム境界からの信号の同期レベルを決定すること（９００）と、
前記ＵＥ（１１００）が非同期型ＤＣにおいて設定されているかどうか、または非同期型ＤＣと同期型ＤＣのどちらで前記ＵＥ（１１００）が動作しているかを前記ネットワークノード（１２００）が前記同期レベルから確認することが不可能でないかどうかを決定すること（９０２）と、
前記ＵＥ（１１００）が非同期型ＤＣにおいて設定されている、または非同期型ＤＣと同期型ＤＣのどちらで前記ＵＥ（１１００）が動作しているかを前記ネットワークノード（１２００）が前記同期レベルから確認することが不可能であるという決定（９０２）に基づいて、
１つまたは複数の基準に基づき、複数の事前規定された規則のうちの１つを選択すること（９０４）であって、前記事前規定された規則のうちの前記選択された１つが、前記ＵＥ（１１００）が前記ＭＣＧおよび前記ＳＣＧにおける測定ギャップ長を決定するために前記ＭＣＧおよび前記ＳＣＧからのサブフレームをペアリングすることを可能にする、選択すること（９０４）と、
前記ＵＥ（１１００）を、前記複数の事前規定された規則のうちの前記選択された１つを用いて設定すること（９０６）と、
前記ＵＥ（１１００）を、前記測定ギャップ長に基づく１つまたは複数の無線測定の実行に向けて動作させるために、前記測定ギャップ長を用いて設定すること（９０８）と
を行うようにさらに設定される、ネットワークノード（１２００）。
【発明の詳細な説明】
【技術分野】
【０００１】
関連出願
本出願は、２０１４年１１月１０に出願された、米国仮特許出願第６２／０７７，６７４号の優先権利益を主張し、その開示の全体を参照により本明細書に組み込む。
【０００２】
本開示は、デュアルコネクティビティフレームワークを対象とした、ネットワークノードおよび移動局による方法および動作に関する。
【背景技術】
【０００３】
現在、ＬＴＥ  Ｒｅｌｅａｓｅ  １２に向けて、デュアルコネクティビティフレームワークの検討がなされている。デュアルコネクティビティ（ＤＣ）とは、所与のＵＥが、ＲＲＣ＿ＣＯＮＮＥＣＴＥＤの間、理想的とはいえないバックホールで接続された、少なくとも２つの異なるネットワークポイント（Ｍａｓｔｅｒ  ｅＮＢ（ＭｅＮＢ）、およびＳｅｃｏｎｄａｒｙ  ｅＮＢ（ＳｅＮＢ））によって提供される無線リソースを消費するような動作のことを指す。ＤＣ中のＵＥは、アンカノードおよびブースタノードに対する同時通信を維持しており、アンカノードはＭｅＮＢと、ブースタノードはＳｅＮＢと、それぞれ呼び替えることが可能である。その名が表す通り、ＭｅＮＢは、ＳｅＮＢの接続とハンドオーバを制御する。ＳｅＮＢスタンドアロンのハンドオーバについては、Ｒｅｌｅａｓｅ  １２に関する規定は行われていない。ＳｅＮＢの変更にさえ、ＭｅＮＢでのシグナリングが必要となる。アンカノードおよびブースタノードは、両者とも、ＵＥに向かう制御プレーン接続を終端させることが可能であり、よってＵＥの制御ノードともなり得る。
【０００４】
ＵＥは、アンカからシステム情報を読み取る。ユーザプレーンのサポートを追加するために、ＵＥは、アンカに加えて、１つまたはいくつかのブースタノードに接続されてもよい。ＭｅＮＢとＳｅＮＢは、Ｘｎインターフェースを介して接続されるが、２つのｅＮＢ同士を接続するＸ２インターフェースと同一になるように選択されるのが一般的である。
【０００５】
より具体的に述べれば、ＤＣとは、ＲＲＣ＿ＣＯＮＮＥＣＴＥＤ状態（ＵＥがＭａｓｔｅｒ  Ｃｅｌｌ  Ｇｒｏｕｐ（ＭＣＧ）およびＳｅｃｏｎｄａｒｙ  Ｃｅｌｌ  Ｇｒｏｕｐ（ＳＣＧ）を用いて設定されている状態）にあるＵＥの動作に関する１つのモードである。Ｃｅｌｌ  Ｇｒｏｕｐ（ＣＧ）は、ＭｅＮＢとＳｅＮＢのいずれかに関連付けられた、サービングセルのグループである。
【０００６】
Ｍａｓｔｅｒ  Ｃｅｌｌ  Ｇｒｏｕｐ（ＭＣＧ）は、ＭｅＮＢに関連付けられたサービングセルのグループであり、ＰＣｅｌｌ、およびオプションで１つまたは複数のＳＣｅｌｌが含まれる。Ｓｅｃｏｎｄａｒｙ  Ｃｅｌｌ  Ｇｒｏｕｐ（ＳＣＧ）は、ＳｅＮＢに関連付けられたサービングセルのグループであり、ｐＳＣｅｌｌ（Ｐｒｉｍａｒｙ  Ｓｃｅｌｌ）、およびオプションで１つまたは複数のＳＣｅｌｌが含まれる。マスタｅＮＢは、少なくともＳ１−ＭＭＥを終端させるｅＮＢである。セカンダリｅＮＢは、ＵＥに追加の無線リソースを提供するが、Ｍａｓｔｅｒ  ｅＮＢではないｅＮＢである。
【０００７】
図１は、ＭｅＮＢ、ＳｅＮＢ、およびＵＥが複数含まれる、デュアルコネクティビティの展開構成システムを示す図である。この例では、１つのＳｅＮＢのみがＵＥに接続されているが、通常、ＵＥには複数のＳｅＮＢがサーブすることが可能である。図１は、デュアルコネクティビティがＵＥの固有機能であって、ネットワークノードはデュアル接続されたＵＥとレガシＵＥとを同時にサポート可能であるということを示す図でもある。
【０００８】
上で説明したように、アンカとブースタの役割は、ＵＥ視点で規定される。このことは、あるＵＥに対してアンカとしてふるまうネットワークノードが、別のＵＥに対してはブースタとしてふるまい得るということを意味している。同様に、ＵＥはアンカノードからシステム情報を読み取るが、あるＵＥに対してブースタとしてふるまうネットワークノードが、別のＵＥにシステム情報を配信するかどうかは自由である。
【０００９】
アンカノードおよびＭｅＮＢという両用語は、本明細書において区別なく使用される。同様に、ＳｅＮＢおよびブースタノードという両用語も、本明細書では区別なく使用される。
【００１０】
ＭｅＮＢは、システム情報を提供する、すなわち、ＵＥとネットワークノードの間でレイヤ化されたプロトコル構造の制御プレーンを終端させるように動作するものであり、かつ、ユーザプレーンを終端させることも可能である。ＳｅＮＢは、制御プレーンを終端させるように動作するか、または、ユーザプレーンのみを終端させるように動作することが可能である。
【００１１】
一適用形態では、デュアルコネクティビティを用いることにより、ＵＥは、２つのネットワークノードに接続して、両方のネットワークノードからデータを受信することが可能となる。それにより、ＵＥのデータレートが向上する。こうしたユーザプレーンのアグリゲーション（ａｇｇｒｅｇａｔｉｏｎ：集約）により、低レイテンシのバックホール／ネットワーク接続によって接続されてはいないネットワークノードを用いたキャリアアグリゲーションと同様の恩恵が得られる。この低レイテンシバックホールの欠如により、ＵＥから各ネットワークノードへのスケジューリングおよびＨＡＲＱ−ＡＣＫフィードバックは、別々に実行することが必要となる。すなわち、接続中のネットワークノードにＵＬ制御およびＵＬデータを送信するために、ＵＥは、２つのＵＬ送信機を持つことが要求される。
【００１２】
同期型、または非同期型のデュアルコネクティビティ動作
デュアルコネクティビティ（ＤＣ）動作には、併置されない２つの送信機（すなわち、ＭｅＮＢとＳｅＮＢ）が関与するため、ＵＥの受信機性能に関する主な課題の１つとして、ＵＥの受信機において受信される、ＭｅＮＢおよびＳｅＮＢからの信号に関する、最大受信タイミング差異（Δｔ）が挙げられる。この差異により、ＵＥが基準となるＤＣ動作に２つのケースが発生する。すなわち、ケース（１）が、ＤＣ動作が同期する場合（同期型ＤＣ動作）、ケース（２）が、ＤＣ動作が同期しない場合（非同期型ＤＣ動作）である。
−  本明細書で使用される同期型動作とは、ＵＥにおいて受信される、ＭＣＧおよびＳＣＧに属するコンポーネントキャリア（ＣＣ）からの信号同士の受信時間差異（Δｔ）が、一定の閾値内（たとえば、±３０μｓ）に収まるという前提で、ＵＥがＤＣ動作を実行可能であるということを意味する。非限定的な一特定例として、本明細書における同期型動作とは、ＵＥにおいて受信される、ＭＣＧおよびＳＣＧに属するＣＣのサブフレーム境界からの信号同士の受信時間差異（Δｔ）が、一定の閾値内（たとえば、±３０μｓ）に収まることを意味する。
−  本明細書で使用される非同期型動作とは、ＵＥにおいて受信される、ＭＣＧおよびＳＣＧに属するＣＣからの信号同士の受信時間差異（Δｔ）を問わずに（すなわち、Δｔがどのような値でも）、ＵＥがＤＣ動作を実行可能であるということを意味する。非限定的な一特定例として、本明細書における非同期型動作とは、ＵＥにおいて受信される、ＭＣＧおよびＳＣＧに属するＣＣのサブフレーム境界からの信号同士の受信時間差異（Δｔ）が、任意の値（たとえば、±３０μｓを超える値や、±０．５ｍｓまでの値など）をとり得ることを意味する。
【００１３】
ＵＥにおける最大受信タイミング差異（Δｔ）は、以下の構成要素を持ち得る。
（１）ＭｅＮＢとＳｅＮＢの間の相対伝搬遅延差異
（２）ＭｅＮＢおよびＳｅＮＢのアンカコネクタ間の同期レベルに起因するＴｘタイミング差異
（３）無線信号のマルチパス伝搬による遅延
【００１４】
相対伝搬遅延差異
非併置的なＣＡカバレッジについて、その信号伝搬距離が９ｋｍあまりとなるような最悪のケースでは、相対伝搬遅延は最大３０．２６μｓにもなる。高密度な都市部のシナリオでは、確認可能な伝搬遅延により、最大で約１０μｓのミスアライメント（ｍｉｓａｌｉｇｎｍｅｎｔ：ずれ）が引き起こされるおそれもある。伝搬遅延は、ネットワークノード間の物理的な相対距離と直線的関係にある。その結果、ネットワークノード間の距離によっては不要となる可能性もあるような、大幅なタイミングミスアライメントマージンが存在しており、このことは、たとえば３μｓなど、一定の送信タイミングミスアライメント（すなわち、ＭｅＮＢとＳｅＮＢの間の同期精度）を超えて、要件を緩和できる可能性があることを意味している。ここでの３μｓという時間は、ＴＤＤシステムの同一チャネル同期精度要件が３μｓである（これは達成可能な要件は最も厳しくとも３μｓであることを意味する）という理由から選択されている。
【００１５】
ＭｅＮＢとＳｅＮＢの間の送信タイミング差異
同期するケースとは、ＭｅＮＢとＳｅＮＢの送信タイミングが一定レベルの時間精度にまで同期する必要があることを本質的に意味し、一方、同期しないケースでは、同期精度の値が、同期するケースで要求される精度値を超える、ランダムな値（たとえば、１ｍｓまで）となる。受信タイミング差異とは、ＵＥにおいて受信された２つの信号間の受信タイミングミスアライメントであり、換言すれば、ＭｅＮＢとＳｅＮＢの間の送信タイミングミスマッチレベルではないことに留意されたい。
【００１６】
図２は、ＵＥにおける最大受信タイミング差異を示す図である。ベースラインオプションとして、理想的とはいえないバックホールでデュアルＴｘ／Ｒｘが使用されており、ＭｅＮＢとＳｅＮＢは互いに同期していないものと仮定する。デュアルＴｘ／Ｒｘとは、厳密な同期要件が求められないように、別々のリンクのために別々のＰＡが存在し得ることを意味しており、上で説明したケース（２）にあたる。同期しないケースについて規定された要件は、同期するケースについてもあてはまることになる。ただし、同期型および非同期型デュアルコネクティビティ動作に向けた実装および要件に関する諸問題を考慮し、デュアルコネクティビティ動作のために、以下の実施形態が提供される。上述のケース（１）は、ＭｅＮＢとＳｅＮＢの間で、一定の同期精度を規定することを示唆している。
【００１７】
マルチパス無線環境による遅延
ＭｅＮＢおよびＳｅＮＢからの無線信号の受信時間差異には、無線環境という特性上発生するマルチパスが引き起こす、さらなる遅延も含まれる可能性がある。たとえば、典型的な都市環境では、ＵＥにおいて受信される複数のパスの遅延スプレッドは、１〜３μｓ程度となり得る。対照的に、郊外や田園など、広域に展開される環境の場合は、ＵＥにおいて観測される信号のチャネル遅延スプレッドに対するマルチパスの影響は、たとえば１μｓ未満など、比較的小さいものとなり得る。
【００１８】
デュアルコネクティビティはＵＥに固有の動作である
一般に、ネットワークワイドな同期は、デュアルコネクティビティには必要とされない。デュアルコネクティビティは、ＵＥに固有の動作だからである。ＵＥは、デュアルコネクティビティ動作中、２つのｅＮＢに接続し得るため、その２つのｅＮＢ（すなわち、関連するＭｅＮＢおよびＳｅＮＢ）がデュアルコネクティビティ動作のためにＵＥにサーブしているときは、これら２つのｅＮＢ間にだけ同期要件が必要となる。同一のＭｅＮＢおよびＳｅＮＢが、デュアルコネクティビティにないＵＥに対してもサーブ可能であることに留意されたい。よって、ＭｅＮＢとＳｅＮＢの間であっても、同期要件は指定されない。ただし、デュアルコネクティビティで動作中のＵＥが、許容される最大の受信時間差異の範囲内で、ＭｅＮＢおよびＳｅＮＢからの信号を確実に受信できるようにするために、ＵＥが満たすべき、関連ｅＮＢについての条件が次のように規定される。
１．  ＭｅＮＢおよびＳｅＮＢからのＵＥにおける受信時間差異が、許容限度内に収まること。
２．  ＭｅＮＢとＳｅＮＢの間の最大送信時間差異が、一定の時間限度内に収まること。
【００１９】
ＲＲＭ測定値
接続を確立し維持すると同時に、無線リンクの品質を保証するために、ＵＥまたは無線ネットワークノードにより、いくつかの無線関連測定値（ＲＲＭ）が使用される。
【００２０】
ＵＥはまず、セルを検出する（したがってセル識別表示を検出する）必要がある。この検出は、たとえば、物理セル識別情報（ＰＣＩ）の取得によって行われるものであり、信号測定にあたる。ＵＥは、ＵＥのセルグローバルＩＤ（ＣＧＩ）の取得を要する場合もある。
【００２１】
ＵＥは、無線リソース制御（ＲＲＣ）シグナリングによるサービングネットワークノードからの（たとえば、ＬＴＥの場合であれば、ＨＳＰＡにおけるＲＮＣ、またはｅＮｏｄｅ  Ｂからの）明示的な要求を受信した後、対象セル（たとえば、周波数内セル、周波数間セル、またはＲＡＴ間セル）のシステム情報（ＳＩ）を読み取る。次いで、取得されたＳＩは、サービングセルに報告される。シグナリングメッセージについては、当該のＨＳＰＡおよびＬＴＥ仕様書において規定されている。
【００２２】
対象セルのセルグローバル識別子（ＣＧＩ）が収められたＳＩを取得するために、ＵＥは、以下で記述するように、マスタ情報ブロック（ＭＩＢ）および当該のシステム情報ブロック（ＳＩＢ）を含むＳＩの少なくとも一部を読み取る必要がある。ＳＩの読み取り／復号／取得、ＣＧＩ／ＥＣＧＩの読み取り／復号／取得、およびＣＳＧ  ＳＩの読み取り／復号／取得という各用語は、本明細書では区別なく使用されており、同一または同様の意味を持ち得るものである。
【００２３】
参照信号受信電力（ＲＳＲＰ）および参照信号受信品質（ＲＳＲＱ）は、モビリティに関してなど、少なくともＲＲＭのために使用される２つの既存の測定値であり、ＲＲＣ接続状態およびＲＲＣアイドル状態でのモビリティが算入される。ＲＳＲＰおよびＲＳＲＱは、拡張セルＩＤ測位やドライブテストの最小化など、他の用途に使用することもできる。ＵＥ測定値の他の例としては、ＵＥ  Ｒｘ−Ｔｘ時間差異測定値や、参照信号時間差異（ＲＳＴＤ）などが挙げられる。
【００２４】
ＲＲＣ接続状態のＵＥは、測定ギャップなしに周波数内測定を実行することができる。ただし、一般原則として、ＵＥは、ギャップなしに周波数間測定およびＲＡＴ間測定を実行する能力がなければ、測定ギャップ中にこれらの測定を実行する。２つの周期的な測定ギャップパターン（ともに測定ギャップ長は６ｍｓ）が、ＬＴＥ向けに規定されている。
−  測定ギャップパターン＃０（繰り返し周期が４０ｍｓ）
−  測定ギャップパターン＃１（繰り返し周期が８０ｍｓ）
【００２５】
ＵＥによって実行された測定は、さまざまなタスクでの使用に向けて、ネットワークに報告される。
【００２６】
無線ネットワークノード（たとえば、基地局）も信号測定を実行可能である。ＬＴＥにおける無線ネットワークノード測定値の例としては、ＵＥと自身の間の伝搬遅延、上りリンク（ＵＬ）信号対雑音干渉比（ＳＩＮＲ）、ＵＬ信号対雑音比（ＳＮＲ）、ＵＬ信号強度、受信干渉電力（ＲＩＰ）、タイミングアドバンス（ＴＡ）、ｅＮｏｄｅ  Ｒｘ−Ｔｘ時間差異測定値、などが挙げられる。ｅＮＢは、以下でさらに記述する、位置測位を実行することも可能である。
【００２７】
ＵＥは、サービングセル（たとえば、プライマリセル）のパフォーマンスを監視するために、同サービングセルに対して測定を実行することもできる。ＬＴＥにおいて、この測定は、無線リンク監視（ＲＬＭ）、またはＲＬＭ関連測定と呼ばれる。
【００２８】
ＲＬＭに際し、ＵＥは、サービングセルまたはＰＣｅｌｌの下りリンクの無線リンク品質を検知するために、セル固有の参照信号に基づき、下りリンクのリンク品質を監視する。
【００２９】
ｏｕｔ  ｏｆ  ｓｙｎｃ（同期外れ）およびｉｎ  ｓｙｎｃ（同期中）を検知するために、ＵＥは、推定された品質を、それぞれ閾値ＱｏｕｔおよびＱｉｎと比較する。閾値ＱｏｕｔおよびＱｉｎは、下りリンク無線リンクが確実な受信を行うことができないレベル（仮想的なＰＤＣＣＨ送信のブロック誤り率が、それぞれ１０％および２％に相当）として規定される。
【００３０】
既存の手法に伴う潜在的問題
現在、測定ギャップ長は、デュアルコネクティビティにおけるＣＧごとに独立して規定されている。これは、デュアルコネクティビティにおいてＳＦＮ同期が想定されない場合、ＵＥは、ＭＣＧ内で設定されたＭＧＬを基準にして、ＳＣＧのためのＭＧＬをどのサブフレームに対して実施するかについての情報を持たない、ということを意味する。
【００３１】
背景技術の項に記述した手法は追求された手法かもしれないが、必ずしも今日まで想到または追求がなされてきた手法とはいえない。したがって、本明細書に別段の断りがない限り、背景技術の項に記述した手法は、本出願に含まれる特許請求の範囲に対する先行技術ではないし、背景技術の項に含まれることをもって先行技術であると認められるものではない。
【発明の概要】
【００３２】
本開示の一実施形態は、ＤＣにおいて設定されたＵＥによる方法に向けたものである。方法には、ネットワークノードから、測定ギャップ長の構成情報を、１つまたは複数の無線測定を実行するために、受信することが含まれる。ＳＣＧ内の測定ギャップ長を設定可能なＭＣＧ内の測定ギャップ長に関してＭＣＧとＳＣＧの間におけるサブフレームペアが決定される。少なくともＳＣＧ内で、決定されたサブフレームペアを用いて測定ギャップ長が決定される。設定された測定ギャップ長の範囲内で、ＳＣＧにおける１つまたは複数の無線測定が実行される。
【００３３】
この方法の潜在的利点は、ＵＥが非同期型ＤＣで動作するように設定されていても、同ＵＥが測定ギャップ中にどのように測定を実行するかについて、ネットワークノードが把握しているということにある。それにより、ネットワークノードは、送信のためにＵＥが必要とされないギャップの前または後のサブフレームにおいてＵＥがスケジューリングされないようにスケジューリングに適応することが可能であり、また、ネットワークノードは、非同期型ＤＣで設定されたＵＥが送信を行うことができないサブフレームにおいて送信を行うことが可能な別のＵＥにリソース（たとえば、ＵＬ割り当て、許可、など）をアサインすることができる。
【００３４】
別の実施形態は、ＤＣにおいて設定され、かつ、１つまたは複数の無線測定を実行するために、測定ギャップ長の構成情報を、ネットワークノードから受信するように設定される、対応するＵＥに向けたものである。ＵＥは、ＳＣＧ内の測定ギャップ長を設定可能なＭＣＧ内の測定ギャップ長に関してＭＣＧとＳＣＧの間におけるサブフレームペアを決定する。ＵＥは、決定したサブフレームペアを用いて少なくともＳＣＧ内の測定ギャップ長を設定し、設定した測定ギャップ長の範囲内でＳＣＧにおける１つまたは複数の無線測定を実行する。
【００３５】
別の実施形態は、ＤＣにおいて設定されたＵＥにサーブするネットワークノードによる方法に向けたものである。方法には、ＭＣＧおよびＳＣＧのサブフレーム境界からのＵＥにおいて受信した信号の同期レベルを決定することと、ＵＥが非同期型ＤＣにおいて設定されているかどうか、または非同期型ＤＣと同期型ＤＣのどちらでＵＥが動作しているかを決定された同期レベルによってネットワークノードが確認することが不可能かどうかを決定することとが含まれる。ＵＥが非同期型ＤＣにおいて設定されている、または非同期型ＤＣと同期型ＤＣのどちらでＵＥが動作しているかをネットワークノードが同期レベルから確認することが不可能であるという決定に基づいて、方法は、１つまたは複数の基準に基づき、複数の事前規定された規則のうちの１つを選択することであって、事前規定された規則から選択された１つの規則により、ＵＥは、ＭＣＧおよびＳＣＧにおける測定ギャップ長を決定するために、ＭＣＧおよびＳＣＧからのサブフレームをペアリングすることが可能となる、選択することと、複数の事前規定された規則から選択された１つの規則を用いてＵＥを設定することと、測定ギャップ長に基づく１つまたは複数の無線測定を実行するための動作に向けて、測定ギャップ長を用いてＵＥを設定することとを行う。
【００３６】
別の実施形態は、ＤＣにおいて設定されたＵＥにサーブする対応するネットワークノードに向けたものである。ネットワークノードは、ＭＣＧおよびＳＣＧのサブフレーム境界からのＵＥにおいて受信した信号の同期レベルを決定することと、ＵＥが非同期型ＤＣにおいて設定されているかどうか、または非同期型ＤＣと同期型ＤＣのどちらでＵＥが動作しているかを決定された同期レベルによってネットワークノードが確認することが不可能かどうかを決定することとを行うようにさらに設定される。ＵＥが非同期型ＤＣにおいて設定されている、または非同期型ＤＣと同期型ＤＣのどちらでＵＥが動作しているかをネットワークノードが同期レベルから確認することが不可能であるという決定に基づいて、ネットワークノードは、１つまたは複数の基準に基づき、複数の事前規定された規則のうちの１つを選択することであって、事前規定された規則から選択された１つの規則により、ＵＥは、ＭＣＧおよびＳＣＧにおける測定ギャップ長を決定するために、ＭＣＧおよびＳＣＧからのサブフレームをペアリングすることが可能となる、選択することと、複数の事前規定された規則から選択された１つの規則を用いてＵＥを設定することと、測定ギャップ長に基づく１つまたは複数の無線測定を実行するための動作に向けて、測定ギャップ長を用いてＵＥを設定することとを行う。
【００３７】
当業者であれば、本発明の実施形態による他の方法、ＵＥ、およびネットワークノードについても、以下の図面および詳細な記述を吟味することで明らかなものとなろう。かかる追加の方法、ＵＥ、およびネットワークノードの一切は、本開示に含まれ、本発明の範囲内であり、添付する各請求項によって保護されるものであるということが意図されている。さらに、本明細書で開示するすべての実施形態は、分割して実装することや、あらゆる形に組み合わせることが可能であると意図されている。
【００３８】
添付の図面は、本開示の一層の理解を目的として本出願に組み込まれるとともに、その一部を構成するものである。各図面は、発明概念に関する特定の非限定的実施形態を示している。
【図面の簡単な説明】
【００３９】
【図１】デュアルコネクティビティの展開構成を示す図である。
【図２】ＵＥにおける最大受信タイミング差異の一例を示す図である。
【図３（ａ）】ＭＣＧおよびＳＣＧ内のサブフレームのペア間における、レベルの異なるサブフレームタイミングミスマッチを示す図である。
【図３（ｂ）】ＭＣＧおよびＳＣＧ内のサブフレームのペア間における、レベルの異なるサブフレームタイミングミスマッチを示す図である。
【図３（ｃ）】ＭＣＧおよびＳＣＧ内のサブフレームのペア間における、レベルの異なるサブフレームタイミングミスマッチを示す図である。
【図４】いくつかの実施形態による、サブフレームペアリングに関し開示されるオプション１に基づく、ＭＣＧおよびＳＣＧ内のＭＧＬの構成を示す図である。
【図５】いくつかの実施形態による、サブフレームペアリングに関し開示されるオプション２に基づく、ＭＣＧおよびＳＣＧ内のＭＧＬの構成を示す図である。
【図６】いくつかの実施形態による、デュアルコネクティビティ（ＤＣ）において設定されたＵＥによる動作および方法のフローチャートである。
【図７】いくつかの実施形態による、デュアルコネクティビティ（ＤＣ）において設定されたＵＥによる動作および方法のフローチャートである。
【図８】いくつかの実施形態による、デュアルコネクティビティ（ＤＣ）において設定されたＵＥによる動作および方法のフローチャートである。
【図９】いくつかの実施形態による、デュアルコネクティビティ（ＤＣ）において設定されたＵＥにサーブ中の、ネットワークノードよる動作および方法のフローチャートである。
【図１０】いくつかの実施形態による、ＵＥにおける最大受信タイミング差異に従ってＭＣＧおよびＳＣＧ上で設定された、測定ギャップを示す図である。
【図１１】いくつかの実施形態に従って設定されたユーザ機器の構成要素を示すブロック図である。
【図１２】いくつかの実施形態に従って設定されたネットワークノードの構成要素を示すブロック図である。
【図１３】いくつかの実施形態による、ＵＥ内に常駐するモジュールを示す図である。
【図１４】いくつかの実施形態による、ネットワークノード内に常駐するモジュールを示す図である。
【発明を実施するための形態】
【００４０】
１．  序論
以下、添付の図面を参照しながら、発明概念をより完全に記述する。発明概念の例示的実施形態がその記述において示される。もっとも、発明概念は多種多様な形態で具現化することが可能であり、本明細書に記載の実施形態に限定されるものと解釈すべきではない。むしろ、これらの実施形態は、本開示が完璧かつ十全なものとなるように、また、本発明概念の範囲が当業者に完全に伝わるように提供されるものである。これらの実施形態が相互排他的なものではないことにも留意されたい。一実施形態に由来する構成要素は、別の実施形態においても存在し、使用されるものと暗黙裡に仮定されてよい。
【００４１】
いくつかの実施形態において、「ネットワークノード」という総称が用いられるが、この用語は、ＵＥおよび／または別のネットワークノードと通信する、あらゆるタイプの無線ネットワークノード、または任意のネットワークノードに相当し得る。ネットワークノードの例としては、ＮｏｄｅＢ、ＭｅＮＢ、ＳｅＮＢ、ＭＣＧまたはＳＣＧに属するネットワークノード、基地局（ＢＳ）、ＭＳＲ  ＢＳなどのマルチスタンダード無線（ＭＳＲ）ノード、ｅＮｏｄｅＢ、ネットワークコントローラ、無線ネットワークコントローラ（ＲＮＣ）、基地局コントローラ（ＢＳＣ）、リレー、ドナーノード制御リレー、基地局送受信機（ＢＴＳ）、アクセスポイント（ＡＰ）、発信拠点、送信ノード、リモートラジオユニット（ＲＲＵ）、リモート無線ヘッド（ＲＲＨ）、分散アンテナシステム（ＤＡＳ）のノード、コアネットワークノード（たとえば、ＭＳＣ、ＭＭＥ、など）、運用保守（Ｏ＆Ｍ）ノード、オペレーションサポートシステム（ＯＳＳ）、ＳＯＮ、測位ノード（たとえば、Ｅ−ＳＭＬＣ）、ＭＤＴ、などが挙げられる。
【００４２】
いくつかの実施形態において、ユーザ機器（ＵＥ）という非限定的な用語が用いられるが、この用語は、ネットワークノードと、かつ／またはセルラもしくは移動体通信システムにおける別のＵＥと通信する、あらゆるタイプのワイヤレスデバイスのことを指す。ＵＥの例としては、対象デバイス、デバイスツーデバイス（Ｄ２Ｄ）ＵＥ、マシン型ＵＥもしくはマシンツーマシン（Ｍ２Ｍ）通信対応ＵＥ、ＰＤＡ、ＰＡＤ、タブレット、移動端末、スマートフォン、ラップトップ埋設型装備（ＬＥＥ）、ラップトップ搭載型機器（ＬＭＥ）、ＵＳＢドングル、などが挙げられる。
【００４３】
各実施形態は、シングルキャリアに対してだけでなく、マルチキャリア、またはＵＥのキャリアアグリゲーション（ＣＡ）動作に対しても適用可能であり、ＣＡ動作中のＵＥは、複数のサービングセルとの間でデータの送受信を行うことができる。キャリアアグリゲーション（ＣＡ）という用語は、「マルチキャリアシステム」、「マルチセル動作」、「マルチキャリア動作」、「マルチキャリア」送信および／または受信とも呼ばれる（たとえば、区別なく呼称される）。ＣＡにおいて、コンポーネントキャリア（ＣＣ）のうちの１つは、プライマリコンポーネントキャリア（ＰＣＣ）である（単にプライマリキャリアやアンカキャリアとも呼ばれる）。残りのＣＣは、セカンダリコンポーネントキャリア（ＳＣＣ）である（単にセカンダリキャリアや補助キャリアとも呼ばれる）。サービングセルという呼称は、プライマリセル（ＰＣｅｌｌ）またはプライマリサービングセル（ＰＳＣ）と区別なく使用される。同様に、セカンダリサービングセルという呼称は、セカンダリセル（ＳＣｅｌｌ）またはセカンダリサービングセル（ＳＳＣ）と区別なく使用される。
【００４４】
本明細書では、ＬＴＥを対象とする、種々の実施形態が記述される。とはいえ、これらおよび他の実施形態は、ＵＥが信号（たとえばデータ）の送受信を行う、あらゆるＲＡＴまたはマルチＲＡＴシステムに対しても適用可能であり、そのような技術としては、限定するものではないが、ＬＴＥ  ＦＤＤ／ＴＤＤ、ＷＣＤＭＡ／ＨＳＰＡ、ＧＳＭ／ＧＥＲＡＮ、Ｗｉ  Ｆｉ、ＷＬＡＮ、ＣＤＭＡ２０００、などが挙げられる。
【００４５】
これらの実施形態が持つ種々の概念は、ＦＤＤ−ＦＤＤバンド間キャリア、ＴＤＤ−ＴＤＤバンド間もしくはＴＤＤバンド内キャリア、ならびに／またはＦＤＤおよびＴＤＤバンド間キャリアの組み合わせに対して適用可能である。これらの概念は、複数のＳｅＮＢに対して等しく適用可能となり得る。
【００４６】
デュアルコネクティビティには、次のようなことが想定され得る。
１．  ＭＣＧとＳＣＧの間でＳＦＮアライメントが不可能な場合がある。
２．  ＭｅＮＢおよびＳｅＮＢからのサブフレームレベルの信号間において、最大受信タイミング差異が最大で５００μｓとなる場合がある。
【００４７】
図３（ａ）〜（ｃ）から見て取れるように、ＵＥにおける、ＭＣＧおよびＳＣＧからの受信信号間のサブフレーム境界ミスマッチには、主に３つの可能性が存在する。図３（ａ）は、サブフレーム境界ミスマッチが５００μｓ未満である場合を示しており、ひいては同期するケースがこれに含まれる。図３（ｂ）は、サブフレーム境界ミスマッチは５００μｓを超過する場合を示しており、時間領域におけるサブフレームの先頭に着目している。図３（ｃ）は、サブフレーム境界ミスマッチがちょうど５００μｓである場合を示しており、このようなケースが発生する可能性は極めて少ない（たとえば、約０．２％程度）。
【００４８】
ＲＡＮ２では、ＭＣＧ、次いでＳＣＧにおいて、ＭＧＬが設定される。換言すれば、ＵＥは、ひとたびＭＣＧ内のＭＧＬにあてるサブフレーム番号を把握した後、対応するＳＣＧのサブフレーム番号を探索する必要があり、その対応するサブフレーム番号に基づいてＳＣＧ向けのＭＧＬが規定可能となる。
【００４９】
デュアルコネクティビティ中のＭＧＬにあてるサブフレームペアを規定するために、さまざまな実施形態が、ペアとなる、ＭＣＧおよびＳＣＧ上のＭＧＬの先頭に位置する２つのサブフレームを特定する。この動作は、同期するケースと同期しないケースの両方に対して使用可能である。
【００５０】
２．  オプション１  サブフレームのスロット１への重なりに基づくサブフレームペアリングに向けたＵＥおよび関連ＵＥにおける方法について
いくつかの実施形態では、ＭＧＬ決定のためのＭＣＧおよびＳＣＧからのサブフレームのペアリングに向けた方法および動作が、１つまたは複数の事前規定された規則に基づいてＵＥ内で実装可能となる。ＵＥはまた、セクション４でさらに記述する、ネットワークノードから受信した表示に基づくサブフレームのペアリングに向けた規則または方法を用いて設定され得る。
【００５１】
図３（ａ）〜（ｃ）の描写に基づくと、ＭＣＧおよびＳＣＧにおけるＭＧＬのために検討すべきサブフレームペアを見つけ出すことは、ＵＥにとって困難ともなり得る。
【００５２】
本オプションによれば、ＭＣＧおよびＳＣＧにおけるＭＧＬのために検討すべきサブフレームペアを構成するために、ＵＥは、規定されたタイムスロット内で相互に重なるＭＣＧ内のサブフレームとＳＣＧ内のサブフレームとして、あるサブフレームペアを特定することができる。より詳細にいえば、ＵＥは、スロット１（すなわち、ＭＣＧサブフレーム内の第１のタイムスロットおよびＳＣＧサブフレーム内の第１のタイムスロット）が相互に重なり合うＭＣＧおよびＭＣＧ内のサブフレームを、ＳＣＧ内のＭＧＬを設定可能なＭＣＧ内のＭＧＬに関してＭＣＧとＳＣＧの間における１つまたは複数のサブフレームペアとみなすことができる。この方法では、ＭＣＧおよびＳＣＧにおけるＭＧＬのためのサブフレームペアを構成するために、サブフレームの先頭が常に検討される。
【００５３】
図３（ａ）に示すケースでは、ＭＣＧ内のサブフレームｉと、ＳＣＧ内のサブフレームｊとで、サブフレームペアを構成している。同様に、図３（ｂ）では、ＭＣＧ内のサブフレームｉと、ＳＣＧ内のサブフレームｊ−１とが、サブフレームペアを構成している。よって、この手法では、以下の大原則に基づいてＭＧＬが導出される。
【００５４】
ある制御グループ（ＣＧ）内のサブフレームと別のＣＧ内のサブフレームに関し、各々のスロット１が重なり合う場合、そのサブフレームはＣＧ間でペアとなるべきである。
【００５５】
ＳＣＧにおいては、測定ギャップ中の６つのサブフレーム（たとえば、６ｍｓの測定ギャップ）に加え、７番目のサブフレームが必要となる。その場合、ＳＣＧにおける測定ギャップは、最初のサブフレームから開始され得る。よって、この手法では、７番目のサブフレームは、図３（ａ）のケースであれば、サブフレームｊ−１、すなわち、（ＭＣＧがＳＣＧに先行する場合は）６ｍｓのＭＧＬを基準にしてその前のサブフレームとなり、一方、図３（ｂ）のケースであれば、図示はされていないが、サブフレームｊ＋５、すなわち、（ＳＣＧがＭＣＧに先行する場合は）６ｍｓのＭＧＬを基準にしてその後のサブフレームとなる。
【００５６】
ＭＣＧおよびＳＣＧの両方において得られたＭＧＬを図４に示す。この場合、ＭＣＧが先行していれば、ＳＦ＃０がＳＣＧ向けのＭＧＬに含み入れられる。逆に、ＳＣＧが先行していれば、ＳＦ＃７がＳＣＧ向けのＭＧＬに含み入れられる。
【００５７】
したがって、ＵＥの動作には、以下のことが含まれ得る。
１．  ＭＣＧが先行する場合（たとえば、ＭＣＧの最初のタイムスロットが、ＳＣＧの最初のタイムスロットに先行する場合）
ａ．  サブフレーム（ＳＦ）ＳＦ＃１〜ＳＦ＃６を、ＭＣＧとＳＣＧの両方に対する測定ギャップ長として使用する。
ｉ．  普通のギャップ挙動はここに適用される。
ｂ．  ＳＣＧは、ＳＦ＃０での送受信が不可能となる（たとえば、サブフレーム０の間は、ＵＥが送受信を行わないようにする）。
２．  ＳＣＧが先行する場合（たとえば、ＳＣＧの最初のタイムスロットが、ＭＣＧの最初のタイムスロットに先行する場合）
ａ．  ＳＦ＃１〜ＳＦ＃６を、ＭＣＧとＳＣＧの両方に対する測定ギャップ長として使用する。
ｉ．  普通のギャップ挙動はここに適用される。
ｂ．  ＳＣＧは、ＳＦ＃７での送受信が不可能となる（たとえば、サブフレーム７の間は、ＵＥが送受信を行わないようにする）。
【００５８】
３．  オプション２  ＭＣＧ  ＭＧＬを基準にしたＳＣＧ内の第１の直近サブフレームに基づく重なりによるサブフレームペアリングに向けたＵＥおよび関連ＵＥにおける方法について
いくつかの他の実施形態では、ＭＧＬ決定のためのＭＣＧおよびＳＣＧからのサブフレームのペアリングに向けた方法および動作が、１つまたは複数の事前規定された規則に基づいてＵＥ内で実装可能となる。ＵＥはまた、セクション４で記述するような、ネットワークノードから受信した表示（構成情報）に基づくサブフレームのペアリングに向けた規則を用いて設定され得る。
【００５９】
オプション２によれば、ＳＣＧにおける６ｍｓの時間枠は、ＭＣＧギャップ中の最初のサブフレームの後に開始するＳＣＧサブフレームから開始することになる。図５は、いくつかの実施形態による、オプション２についての、対応するタイミングおよび動作を示す図である。この手法は、ＵＥにとって実装がより容易なものとなる可能性があり、ネットワークノードにとっても、７番目のサブフレームが常に６ｍｓのＭＧＬを基準としたその前のサブフレームとなることから、関連スケジューリングの実行がより容易なものとなり得る。また、このオプションでは、ＭＧＬに関する定義が１つだけ構成される。
【００６０】
ＵＥの動作は、以下のようになり得る。
１．  ＳＦ＃１〜ＳＦ＃６を、ＭＣＧとＳＣＧの両方に対する測定ギャップ長として使用する。
ａ．  普通のギャップ挙動はここに適用される。
２．  ＳＣＧは、ＳＦ＃０での送受信が不可能となる（たとえば、サブフレーム０の間は、ＵＥが送受信を行わないようにする）。
【００６１】
この手法には、ＳＣＧのＭＧＬの最初のサブフレームが、ＭＣＧの最初のサブフレームの開始直後に開始するサブフレームとする形で、ＭＣＧおよびＳＣＧに対するサブフレームペアの規定を行うことが含まれ得る。
【００６２】
４．  ＵＥがＭＧＬを決定できるようにするためのＵＥでのサブフレームペアリング規則の設定に向けたネットワークノードおよび関連ネットワークノードにおける方法
いくつかの他の実施形態では、ネットワークノードが、１つまたは複数の基準に基づき、規定された２つの規則（たとえば、セクション２で開示したオプション１の手法によって規定される規則と、セクション３で開示したオプション２の手法によって規定されるもう１つの規則）のうちの一方を選択するように動作する。規定された２つの規則のうちの選択された方の規則は、ネットワークノードによって実行されることで、ＵＥがＤＣ動作で設定されているときに、ＭＣＧおよびＳＣＧにおける測定ギャップのＭＧＬを決定するためのサブフレームペアリング（すなわち、ＭＣＧおよびＳＣＧからのサブフレームのペアリング）を、そのＵＥが実行することを可能にするものである。次いで、ネットワークノードは、規定された２つの規則のうちの選択された方の規則を用いて、ＵＥの設定を行う。
【００６３】
規定された規則間の選択のためにネットワークノードが使用し得る基準の例としては、測定ギャップの前または後のＵＥのスケジューリングにおける単純性、ＵＥ複雑性、実装柔軟性、などが挙げられる。たとえば、より単純で整合性のあるスケジューリング機構（たとえば、同一のサブフレーム０はスケジューリングに使用しない、など）を提供し、かつ／またはＵＥ実装を単純化するために、オプション２によって規定された規則２が、ネットワークノードによって選択されてよい。逆に、異なるサブフレームでのスケジューリングという観点でより柔軟な実装を可能にするために、オプション１によって規定された規則１が、ネットワークノードによって選択されてもよい。
【００６４】
ネットワークノードは、ＵＥが非同期型ＤＣ動作で設定されていると自身で決定した場合、規則のうちの１つ（規則１または規則２）を用いてＵＥを設定すると裁定してよい。
【００６５】
ネットワークノードはまた、ＵＥが非同期型ＤＣ動作で設定されていると自身で決定できない、または確実には決定できない場合（たとえば、ＵＥがＤＣで動作する同期レベルについての確実な情報をネットワークノードが持たない場合）にも、規則のうちの１つ（規則１または規則２）を用いてＵＥを設定すると裁定してよい。
【００６６】
別の実施形態では、ＤＣにおいて設定されたＵＥにサーブしているネットワークノードは、ＭＣＧおよびＳＣＧのサブフレーム境界からの同ＵＥで受信された信号の同期レベルを決定することを含む方法を実行する。方法には、ＵＥが非同期型ＤＣにおいて設定されているかどうか、または非同期型ＤＣと同期型ＤＣのどちらでＵＥが動作しているかをネットワークノードが同期レベルから確認することが不可能でないかどうかを決定することがさらに含まれる。ＵＥが非同期型ＤＣにおいて設定されているという決定、または非同期型ＤＣと同期型ＤＣのどちらでＵＥが動作しているかをネットワークノードが同期レベルから確認することが不可能であるという決定に基づく。方法には、１つまたは複数の基準に基づき、複数の事前規定された規則のうちの１つを選択することであって、事前規定された規則から選択された１つの規則により、ＵＥは、ＭＣＧおよびＳＣＧにおける測定ギャップ長を決定するために、ＭＣＧおよびＳＣＧからのサブフレームをペアリングすることが可能となる、選択することと、複数の事前規定された規則から選択された１つの規則を用いてＵＥを設定することと、測定ギャップ長に基づく１つまたは複数の無線測定を実行するための動作に向けて、測定ギャップ長を用いてＵＥを設定することとがさらに含まれる。
【００６７】
別の実施形態では、事前規定された規則から選択された１つの規則と、ＵＥが各ＵＥ向けとなる自身のリソース（たとえば、ＵＬ割り当て、許可、など）のスケジューリングに適応するのに使用する測定ギャップ長とに関するこの情報をネットワークノードが使用して、送信のためにＵＥが必要とされないギャップの前または後のサブフレームにおいてＵＥがスケジューリングされないようにする。代替または追加の実施形態では、ネットワークノードは、この情報を使用して、非同期型ＤＣで設定されたＵＥが送信を行うことができないサブフレームにおいて送信を行うことが可能な別のＵＥにリソース（たとえば、ＵＬ割り当て、許可、など）をアサインすることができる。
【００６８】
よって、別の実施形態では、ネットワークノードによる方法は、測定ギャップの前または後のサブフレームでの送信のためにＵＥがスケジューリングされないように、ＵＥへのアサインのためにリソースをスケジューリングすることができる。ネットワークノードによる方法は、測定ギャップの前または後のサブフレームにおいて送信することが可能な別のＵＥに対するアサインのためにリソースをスケジューリングすることができる。
【００６９】
５．  同期レベルに基づくサブフレームペアリングに適応するためのＵＥおよび関連ＵＥにおける方法
ＤＣ対応ＵＥは、ネットワークノードにより、異なる同期レベルで設定されてよい。たとえば、非同期型ＤＣと同期型ＤＣの両シナリオで動作可能なＵＥは、ネットワークノードにより、非同期型ＤＣ動作と同期型ＤＣ動作のどちらかで設定されてよい。
【００７０】
ＤＣ対応ＵＥは、ＤＣ動作において設定されると同時に、周波数間測定および／またはＲＡＴ間測定を実行するために、測定ギャップを用いて設定されてもよい。
【００７１】
この実施形態では、ＵＥがＤＣで動作するように設定するのに用いる同期レベルに基づいてＭＣＧおよびＳＣＧにおけるＭＧＬを決定するために、ＵＥは、第１の方法および第２の方法に順応する（たとえば、両方法を切り換える）。たとえば、ＵＥは、以下の動作を行うことが可能である。
−  同期型ＤＣで動作する（たとえば、動作に応答する）ように設定された場合、ＭＧＬを決定するために第１の方法を適用する。このとき、第１の方法において、ＭＧＬは、ＭＣＧとＳＣＧのどちらにおいても等しい。
−  非同期型ＤＣで動作する（たとえば、動作に応答する）ように設定された場合、ＭＧＬを決定するために第２の方法を適用する。このとき、第２の方法は、前出のセクション２〜４で記述した方法のうちのいずれか１つの方法となる。第２の方法において、ＵＥはある規則（たとえば、前出のセクション２およびセクション３でそれぞれ記載した規則１または規則２）を用いて、初めにＭＣＧおよびＳＣＧのサブフレームをペアリングし、そのペアリングに基づき、ＳＣＧおよびＭＣＧにおけるＭＧＬを決定する。
【００７２】
この実施形態によれば、ＤＣにおいて設定された、またはＤＣおいて設定中のＵＥは、１つまたは複数の無線測定を実行するために、測定ギャップの構成情報が収められたメッセージをネットワークノードから取得（受信）する。ＵＥは、自身をＤＣで動作するように設定するのに用いる同期レベルに関する情報を取得（決定）する。この同期レベルには、異なるＣＧ（たとえば、ＭＣＧとＳＣＧ）からの信号の受信時間差異が含まれる。ＵＥは、ＵＥにおいて受信された、ＭＣＧおよびＳＣＧのサブフレーム境界からの信号の同期レベルを決定することができる。
【００７３】
次いで、ＵＥは、取得した情報に基づいてＳＣＧおよびＭＣＧにおけるＭＧＬを決定するために、以下の２つの動作から選択を行う。
−  ＵＥが、ＭＣＧおよびＳＣＧにおいて同一のＭＧＬを使用する。
−  ＵＥが、前出のセクション２〜４で記述した規則のうちの１つに従い、ＭＣＧおよびＳＣＧからのサブフレームをペアリングする。ここでＵＥが使用する規則は、事前規定された情報、またはネットワークノードから受信した情報に基づいて決定される。
【００７４】
その後、ＵＥは、測定ギャップ中に１つまたは複数の無線測定を実行するために、ＭＣＧおよびＳＣＧにおいて決定されたＭＧＬを使用する。
【００７５】
ＵＥは、ネットワークノードから受信した表示に基づくなどして、自律的に（たとえば、ＣＧからの信号の受信時間差異に基づいて）自身をＤＣで動作するように設定するのに用いる同期レベルに関する情報を決定または取得することができる。
【００７６】
６．  種々の実施形態に関するさらなる説明
上で説明したように、本開示の種々の実施形態は、ネットワークノードおよびユーザ機器によって実行される方法および動作に向けたものである。
【００７７】
いくつかの実施形態は、デュアルコネクティビティ（ＤＣ）に設定され、図６〜８のフローチャートを参照しながら以下で記述するように動作するＵＥにおける方法に向けたものである。方法には、ネットワークノードから、測定ギャップの構成情報を、１つまたは複数の無線測定を実行するために、受信すること（ブロック６００）が含まれる。方法には、ＳＣＧ内のＭＧＬを設定可能なＭＣＧ内のＭＧＬに関してＭＣＧとＳＣＧの間におけるサブフレームペアを決定すること（ブロック６０２）が含まれる。方法には、少なくともＳＣＧ内の決定されたＭＧＬを設定すること（ブロック６０４）が含まれる。ＵＥは、設定されたＭＧＬにおいて１つまたは複数の測定を実行する（ブロック６０６）。
【００７８】
この方法の潜在的利点は、ＵＥが非同期型ＤＣで動作するように設定されていても、同ＵＥが測定ギャップ中にどのように測定を実行するかについて、ネットワークノードが把握しているということにある。それにより、ネットワークノードは、送信のためにＵＥが必要とされないギャップの前または後のサブフレームにおいてＵＥがスケジューリングされないようにスケジューリングに適応することが可能であり、また、ネットワークノードは、非同期型ＤＣで設定されたＵＥが送信を行うことができないサブフレームにおいて送信を行うことが可能な別のＵＥにリソース（たとえば、ＵＬ割り当て、許可、など）をアサインすることができる。
【００７９】
別の実施形態では、ＵＥにおける方法には、ＳＣＧ内の設定されたＭＧＬを基準とするＳＣＧ内の規定された（たとえば、７番目の）サブフレーム上で送受信を行わないと裁定すること（ブロック７００）が含まれる。上記のセクション２で説明したように、ＵＥにおける方法には、規定されたタイムスロット内で相互に重なるＭＣＧ内のサブフレームとＳＣＧ内のサブフレームとしてあるサブフレームペアを特定することに基づき、ＳＣＧ内の測定ギャップ長を設定可能なＭＣＧ内の測定ギャップ長に関するＭＣＧとＳＣＧの間におけるサブフレームペアを決定すること（ブロック６０２）が含まれ得る。
【００８０】
さらに、上記のセクション２で説明したように、ＵＥにおける方法には、第１のサブフレームから第６のサブフレームまでをＭＣＧおよびＳＣＧのための測定ギャップ長として使用し、第１のサブフレームの直前のサブフレームの間はＵＥが送受信を行わないようにすることにより、ＳＣＧの規定されたタイムスロットに先行するＭＣＧの規定されたタイムスロットにＵＥが応答することが含まれ得る。さらにＵＥは、第１のサブフレームから第６のサブフレームまでをＭＣＧおよびＳＣＧのための測定ギャップ長として使用し、第６のサブフレームの直後のサブフレームの間はＵＥが送受信を行わないようにすることにより、ＭＣＧの規定されたタイムスロットに先行するＳＣＧの規定されたタイムスロットに応答する。
【００８１】
別の実施形態では、ＵＥは、サブフレーム１からサブフレーム６までをＭＣＧおよびＳＣＧのための測定ギャップ長として使用し、サブフレーム０の間はＵＥが送受信を行わないようにすることにより、ＳＣＧの規定されたタイムスロットに先行するＭＣＧの規定されたタイムスロットに応答する。さらにＵＥは、サブフレーム１からサブフレーム６までをＭＣＧおよびＳＣＧのための測定ギャップ長として使用し、サブフレーム７の間はＵＥが送受信を行わないようにすることにより、ＭＣＧの規定されたタイムスロットに先行するＳＣＧの規定されたタイムスロットに応答する。
【００８２】
代替または追加の実施形態では、ＵＥにおける方法には、ネットワークノードから、測定ギャップの構成情報を、１つまたは複数の無線測定を実行するために、受信すること（ブロック８００）と、ＭＣＧおよびＳＣＧのサブフレーム境界からのＵＥにおいて受信した信号の同期レベルを決定すること（ブロック８０２）と、決定した同期レベルに基づき、ＭＣＧおよびＳＣＧにおけるＭＧＬを決定するためにＭＣＧおよびＳＣＧからのサブフレームをペアリングするか否かを決定すること（ブロック８０４）と、ＭＣＧとＳＣＧの間のサブフレームペアの決定（ブロック６０２）を実行することに基づき、ＭＣＧおよびＳＣＧにおける測定ギャップ長（ＭＧＬ）を決定すること（ブロック８０６）と、決定したＭＧＬを用いて、設定された測定ギャップ中に測定を実行すること（ブロック８０８）とが含まれる。ＭＣＧおよびＳＣＧにおける測定ギャップ長（ＭＧＬ）の決定（ブロック８０６）のための方法は、ＭＣＧおよびＳＣＧからのサブフレームをペアリングするための決定（ブロック８０４）の結果として決定されたＭＣＧとＳＣＧの間のサブフレームペアに基づくものとなり得る。
【００８３】
ＭＣＧおよびＳＣＧのサブフレーム境界からのＵＥにおいて受信した信号の同期レベルの決定（ブロック８０２）には、ＭＣＧおよびＳＣＧからの信号の受信時間差異に基づいた同期レベルの決定が含まれ得る。
【００８４】
ＭＣＧおよびＳＣＧにおける測定ギャップ長を決定するためのＭＣＧおよびＳＣＧからのサブフレームのペアリングには、規定されたタイムスロット内で相互に重なるＭＣＧ内のサブフレームとＳＣＧ内のサブフレームとして、あるサブフレームペアを特定することが含まれ得る。ＭＣＧおよびＳＣＧにおける測定ギャップ長を決定するためのＭＣＧおよびＳＣＧからのサブフレームのペアリングには、代替として、ＭＣＧギャップ中の規定されたサブフレームの後に開始するＳＣＧ内のサブフレームを特定することと、ＭＣＧギャップ中の規定されたサブフレームの後に開始するものとして特定されたＳＣＧ内のサブフレームを用いてＳＣＧにおける測定ギャップ長を設定することとが含まれ得る。
【００８５】
図９は、いくつかの実施形態による、ＤＣにおいて設定されたＵＥにサーブ中のネットワークノードにおける方法を示すフローチャートである。図９を参照すると、方法には、ＭＣＧおよびＳＣＧのサブフレーム境界からのＵＥにおいて受信した信号の同期レベルを決定すること（ブロック９００）と、ＵＥが非同期型ＤＣにおいて設定されているかどうか、または非同期型ＤＣと同期型ＤＣのどちらでＵＥが動作しているかを決定された同期レベルによって確認することが不可能かどうかを決定すること（ブロック９０２）とが含まれている。ＵＥが非同期型ＤＣにおいて設定されているかどうか、または非同期型ＤＣと同期型ＤＣのどちらでＵＥが動作しているかを同期レベルからネットワークノードが確認することが不可能かどうかについての決定（ブロック９０２）を基に、ネットワークノードにおける方法には、１つまたは複数の基準に基づいて複数の事前規定された規則から１つの規則を選択することであって、その規則によってＵＥはＭＣＧおよびＳＣＧにおけるＭＧＬを決定するためにＭＣＧおよびＳＣＧからのサブフレームをペアリングすることが可能になる、選択すること（ブロック９０４）と、選択した規則を用いてＵＥを設定すること（ブロック９０６）と、１つまたは複数の無線測定を実行するために測定ギャップを用いてＵＥを設定すること（ブロック９０８）とがさらに含まれる。
【００８６】
よって、ＵＥは、測定ギャップ長（ＭＧＬ）を決定するために使用されるＭＣＧおよびＳＣＧからのサブフレームのペアを決定するための規則または表示に基づいて非同期型ＤＣ動作で動作し、かつ決定したＭＧＬを測定の実行のために使用することが可能である。ＵＥは、ＭＧＬの前または後のどちらかのサブフレームでは信号の送受信を行わない。ＭＧＬの直前または直後に生じるサブフレームは、規則に応じたものとなる。
【００８７】
別の実施形態では、ネットワークノードにおける方法は、ＳＣＧ内の測定ギャップ長を設定可能なＭＣＧ内の測定ギャップ長に関するＭＣＧとＳＣＧの間におけるサブフレームペアの決定（図６のブロック６０２）に向けてＵＥを設定するための設定情報を送信することにより、複数の事前規定された規則から選択された１つの規則を用いてＵＥを設定する（ブロック９０６）ものである。
【００８８】
ＵＥは、規定されたタイムスロット内で相互に重なるＭＣＧ内のサブフレームとＳＣＧ内のサブフレームとしてサブフレームペアのうちの１つを特定するようにＵＥを設定するための構成情報を送信することによってＵＥを設定するための構成情報を送信することができる。
【００８９】
ＵＥは、代替または追加で、ＭＣＧギャップ中の規定されたサブフレームの後に開始するＳＣＧ内のサブフレームを特定するようにＵＥを設定するための構成情報を送信することによってＵＥを設定するための構成情報を送信することができる。
【００９０】
ネットワークノードは、事前規定された規則から選択された１つの規則と、ＵＥが各ＵＥ向けとなるリソース（たとえば、ＵＬ割り当て、許可、など）のスケジューリングに適応するのに使用する測定ギャップ長とに関するこの情報を使用して、送信のためにＵＥが必要とされないギャップの前または後のサブフレームにおいてＵＥがスケジューリングされないようにする。ネットワークノードは、代替または追加で、この情報を使用して、非同期型ＤＣで設定されたＵＥが送信を行うことができないサブフレームにおいて送信を行うことが可能な別のＵＥにリソース（たとえば、ＵＬ割り当て、許可、など）をアサインすることができる。
【００９１】
よって、別の実施形態では、ネットワークノードによる方法は、測定ギャップの前または後のサブフレームでの送信のためにＵＥがスケジューリングされないように、ＵＥへのアサインのためにリソースをスケジューリングすることができる。ネットワークノードによる方法は、測定ギャップの前または後のサブフレームにおいて送信することが可能な別のＵＥに対するアサインのためにリソースをスケジューリングすることができる。
【００９２】
これらの方法のうちの１つまたは複数によって実現可能な潜在的利点として、ＵＥが非同期型ＤＣで動作するように設定されていても同ＵＥが測定ギャップ中にどのように測定を実行するかに関してＵＥの挙動がネットワークノードに把握され得るということ、より具体的にいえば、ＵＥが非同期型ＤＣで動作するように設定されている場合に測定ギャップの前後のＵＬおよび／またはＤＬにおけるスケジューリングのために利用可能なサブフレームに関してＵＥの挙動がネットワークノードに把握され得るということを挙げることができる。関連するさらなる利点としては、ネットワークノードは、送信のためにＵＥが必要とされないギャップの前または後のサブフレームにおいてＵＥがスケジューリングされないようにスケジューリングに適応することが可能であるということと、ネットワークノードは、非同期型ＤＣで設定されたＵＥが送信を行うことができないサブフレームにおいて送信を行うことが可能な別のＵＥ（たとえば、ＤＣ動作中でないＵＥ、同期型ＤＣ動作中のＵＥ、など）にリソース（たとえば、ＵＬ割り当て、許可、など）をアサインすることができることとが挙げられ得る。別のＵＥに対するこのようなリソースのアサインにより、これらのリソースが浪費されることなく、それどころかより効率的に活用されることが保証され得る。
【００９３】
７．  ３ＧＰＰ  ＴＳ  ３６．１３３に関連するＲＲＣ＿ＣＯＮＮＥＣＴＥＤ状態でのＵＥ測定手順
より具体的な非限定的実施形態を以下で説明する。かかる実施形態は、上で開示した種々の実施形態を、３ＧＰＰ  ＴＳ  ３６．３３１、表題「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ．」の、たとえば、ｖ１２．５．０（２０１４年９月）に基づく、ＲＲＣ＿ＣＯＮＮＥＣＴＥＤ状態の動作におけるＵＥ測定手順に対して適用することに向けたものである。
【００９４】
７．１  一般測定要件
７．１．１  序論
ＲＲＣ＿ＣＯＮＮＥＣＴＥＤ状態のＵＥに対する測定報告要件は、Ｅ−ＵＴＲＡ周波数内測定、Ｅ−ＵＴＲＡ周波数間測定、ＲＡＴ間ＵＴＲＡ  ＦＤＤ測定、ＵＴＲＡ  ＴＤＤ測定、およびＧＳＭ測定で分かれる。これらの測定は、たとえばハンドオーバ決定のため、Ｅ−ＵＴＲＡＮによって使用され得る。測定報告の制御は、３ＧＰＰ  ＴＳ  ３６．３３１に従って実現可能である。
【００９５】
ＵＥがＩＤＣ解決策によって提供されている場合、そのＵＥは、ＲＲＭ測定を実行し、セクション７．１．２において対応する要件を満たすことも可能である。
【００９６】
７．１．２  要件
７．１．２．１  ＵＥ測定能力
以下のサブセクションにおける要件を適用するために、ＵＥが、周波数間セルおよび／またはＲＡＴ間セルの特定および測定に向けて測定ギャップを必要とする場合、Ｅ−ＵＴＲＡＮは、すべての周波数レイヤおよびＲＡＴの並行監視のために、ギャップ持続時間が一定である単一の測定ギャップパターンを提供しなくてはならない。
【００９７】
測定ギャップ中、ＵＥは、
１）一切のデータを送信できず、かつ、
２）ＰＣｅｌｌと、あればＳＣｅｌｌおよびＰＳＣｅｌｌのＥ−ＵＴＲＡＮキャリア周波数のいずれに対しても、自身の受信機が同調することを期待されない。
【００９８】
デュアルコネクティビティをサポートしているＵＥがＰＳＣｅｌｌで設定されており、ＭＣＧとＳＣＧの間の最大受信タイミング差異がＵＥにおいて３３μｓを超える場合、下記の図８．１．２．１−１に示す合計中断時間の間、ＵＥはＳＣＧにおいて一切のデータを送信することができない。
【００９９】
ＭＣＧおよびＳＣＧに関するサブフレームペアは、ＳＣＧのＭＧＬの最初のサブフレームがＭＣＧの最初のサブフレームの開始直後に開始するサブフレームとなる形で規定することができる。
【０１００】
測定ギャップの直後に生じる上りリンクサブフレームでは、
１）Ｅ−ＵＴＲＡＮ  ＦＤＤ  ＵＥは、一切のデータを送信できず、
２）Ｅ−ＵＴＲＡＮ  ＴＤＤ  ＵＥは、測定ギャップの直前に生じるサブフレームが下りリンクサブフレームである場合、一切のデータを送信できず、かつ、
３）測定ギャップの直前に生じるサブフレームが上りリンクサブフレームである場合、Ｅ−ＵＴＲＡＮ  ＴＤＤ  ＵＥのデータ送信の可否は、ＵＥの実装形態に応じたものとなる。
【０１０１】
ＳＣＧにおいて測定ギャップの前に生じるサブフレームでは、ＵＥはいかなるデータの送受信もできない。
【０１０２】
本セクションにおける、周波数間およびＲＡＴ間の測定要件は、そのような測定をギャップなしに遂行可能なＵＥがシグナリングされていない限り、ある測定ギャップパターンを用いて設定されているＵＥに依拠する。ＵＥは、自身の測定能力に関連する、以下の表８．１．２．１−１にリストされたこれらの測定ギャップパターンのみをサポートすることができる。
2018502479.tif 000003
【０１０３】
注１：周波数間ＲＳＴＤ測定が設定され、ＵＥがかかる測定の実行のために測定ギャップを要求する場合、ギャップパターン０のみが使用可能である。周波数間要件およびＲＡＴ間要件を規定するために、Ｔｉｎｔｅｒ１＝３０ｍｓと仮定され得る。
【０１０４】
注２：測定ギャップは、ＭＣＧのサービングセル内のサブフレームのうち、同測定ギャップの直前に生じる最後のサブフレームの終端において開始するものである。
【０１０５】
注３：ＭＧＬとは、ＭＣＧとＳＣＧの間で揃えられた、受信機の同調開始から受信機の再同調終了までの持続時間である。ＳＣＧ上での合計中断時間は、図１０に示すように、ＵＥにおけるＭＣＧとＳＣＧの間の最大受信タイミング差異が３３μｓを超える場合は、７つのサブフレームとなる。
【０１０６】
周波数間および／またはＲＡＴ間のセルをギャップなしに特定および測定可能なＵＥは、ギャップパターンＩＤ＃０が使用されていた場合と同様の要件に従うことができ、対応する要件に関し、最小利用可能時間Ｔｉｎｔｅｒ１は、６０ｍｓであると仮定することができる。
【０１０７】
１つまたは２つのＳＣＣを用いて設定されたときのＥ−ＵＴＲＡキャリアアグリゲーションをサポートしているＵＥが、ＰＣＣ上でのセルの測定、周波数間測定、またはＲＡＴ間測定を実行しており、かつ、ＰＣｅｌｌもしくは任意の有効化されたＳＣｅｌｌまたはその両方において、無効化されたＳＣｅｌｌを用いてＳＣＣ上でセルの測定が実行されたことに起因する中断が発生した場合、ＵＥは、セクション７における測定の各々について指定された要件を満たすことができる。
【０１０８】
ＰＳＣｅｌｌを用いて設定されたときのＥ−ＵＴＲＡデュアルコネクティビティをサポートしているＵＥが、ＰＣＣ上のセルでの測定、周波数間測定、またはＲＡＴ間測定を実行している場合、ＵＥは、セクション７における測定の各々について指定された要件を満たすことができる。
７．１．２．１．１  ギャップを用いた複数のレイヤの監視
複数の周波数間Ｅ−ＵＴＲＡＮおよびＲＡＴ間（ＵＴＲＡＮ  ＧＳＭ）のギャップを用いた（またはＵＥがそのような能力をサポートすることを条件にギャップを用いることのない）監視が設定される場合、ＵＥは、すべてのレイヤ上の検知されたセルの設定された測定タイプ（ＲＳＲＰ、ＲＳＲＱ、ＲＳＴＤ、ＵＴＲＡＮ  ＴＤＤ  Ｐ−ＣＣＰＣＨ  ＲＳＣＰ、ＵＴＲＡＮ  ＦＤＤ  ＣＰＩＣＨの測定、ＧＳＭキャリアＲＳＳＩ、など）の測定のうちの１つが実行可能となり得る。
監視中のＰＣｅｌｌ、ＳＣｅｌｌ、およびＰＳＣｅｌｌの周波数を除く事実上の周波数の総数をＮｆｒｅｑとし、以下のように規定する。
Ｎｆｒｅｑ＝Ｎｆｒｅｑ，Ｅ−ＵＴＲＡ＋Ｎｆｒｅｑ，ＵＴＲＡ＋Ｍｇｓｍ＋Ｎｆｒｅｑ，ｃｄｍａ２０００＋Ｎｆｒｅｑ，ＨＲＰＤ
上式において、
Ｎｆｒｅｑ，Ｅ−ＵＴＲＡは、監視中のＥ−ＵＴＲＡキャリア（ＦＤＤおよびＴＤＤ）の数である。
Ｎｆｒｅｑ，ＵＴＲＡは、監視中のＵＴＲＡキャリア（ＦＤＤおよびＴＤＤ）の数である。
ＭＧＳＭは、測定を実行中のＧＳＭキャリアの数の関数である整数である（たとえば、ＧＳＭキャリアが監視されていなければＭＧＳＭは０に等しい。ＭＧＲＰが４ｍｓの場合、３２個までのＧＳＭキャリア上のセルが測定中であれば、ＭＧＳＭは１に等しい。ＭＧＲＰが８０ｍｓの場合、ＭＧＳＭはｃｅｉｌ（Ｎｃａｒｒｉｅｒｓ，ＧＳＭ／２０）に等しく、このときＮｃａｒｒｉｅｒｓ，ＧＳＭは、セルが測定されているＧＳＭキャリアの数である）。
Ｎｆｒｅｑ，ｃｄｍａ２０００は、監視中のｃｄｍａ２０００  １ｘキャリアの数である。
Ｎｆｒｅｑ，ＨＲＰＤは、監視中のＨＲＰＤキャリアの数である。
【０１０９】
８．  ユーザ機器およびネットワークノードの例
図１１は、遠隔通信システムで使用するための、ＵＥ１１００のブロック図である。同ＵＥは、本明細書で開示する１つまたは複数の実施形態による動作を実行するように設定されたものである。ＵＥ１１００には、送受信機１１２０、プロセッサ回路１１０２、およびメモリ回路１１１０が含まれ、メモリ回路１１１０には、コンピュータ可読プログラムコード１１１２が収められている。ＵＥ１１００には、ディスプレイ１１３０、ユーザ入力インターフェース１１４０、およびスピーカ１１５０がさらに含まれ得る。
【０１１０】
送受信機１１２０は、本明細書で開示する１つまたは複数の無線アクセス技術を用いるワイヤレスエアインターフェースを通じて、ＭｅＮＢやＳｅＮＢなどのネットワークノードと通信するように設定される。プロセッサ回路１１０２には、汎用プロセッサおよび／または専用プロセッサ（たとえば、マイクロプロセッサおよび／またはデジタル信号プロセッサ）など、１つまたは複数のデータ処理回路が含まれ得る。プロセッサ回路１１０２は、メモリ回路１１１０内のコンピュータ可読プログラムコード１１１２を動作させて、ＵＥによって実行される、本明細書で記述した動作の少なくともいくつかを実行するように設定される。
【０１１１】
図１２は、遠隔通信システムで使用するための、ネットワークノード１２００のブロック図である。同ネットワークノードは、ＭｅＮＢやＳｅＮＢなどのネットワークノードに関する、本明細書で開示する１つまたは複数の実施形態に従って設定されるものである。ネットワークノード１２００には、送受信機１２３０、ネットワークインターフェース１２２０、プロセッサ回路１２０２、およびメモリ回路１２１０が含まれ、メモリ回路１２１０には、コンピュータ可読プログラムコード１２１２が収められ得る。
【０１１２】
送受信機１２３０は、ネットワークノード１２００が無線ネットワークノードである場合、本明細書で開示する１つまたは複数の無線アクセス技術を使用して、ＵＥ１２００と通信するように設定される。プロセッサ回路１２０２には、１つまたは複数のネットワークにまたがって併置または分散され得る、汎用プロセッサおよび／または専用プロセッサ（たとえば、マイクロプロセッサおよび／またはデジタル信号プロセッサ）など、１つまたは複数のデータ処理回路が含まれ得る。プロセッサ回路１２０２は、メモリ１２１０内のコンピュータ可読プログラムコード１２１２を動作させて、ネットワークノードによって実行される、本明細書で記述した動作および方法の少なくともいくつかを実行するように設定される。ネットワークインターフェース１２２０は、他のネットワークノードおよび／またはコアネットワークと通信する。
【０１１３】
図１３は、いくつかの実施形態による、本明細書で開示する動作を実行する、図１１のＵＥ１１００などのＵＥ内に常駐するモジュールを示す図である。ＵＥには、受信モジュール１３００、決定モジュール１３０２、測定ギャップ長構成モジュール１３０４、および無線測定モジュール１３０６が含まれる。受信モジュール１７００は、ネットワークノードから、測定ギャップ長の構成情報を、１つまたは複数の無線測定を実行するために、受信するように動作する。決定モジュール１３０２は、ＳＣＧ内の測定ギャップ長を設定可能なＭＣＧ内の測定ギャップ長に関してＭＣＧとＳＣＧの間におけるサブフレームペアを決定するように動作する。測定ギャップ長構成モジュール１３０４は、決定されたサブフレームペアを用いて、少なくともＳＣＧにおける測定ギャップ長を設定するように動作する。無線測定モジュール１３０６は、設定された測定ギャップ長の範囲内で、ＳＣＧにおける１つまたは複数の無線測定を実行するように動作する。モジュール１３００〜１３０６は、図１〜１１に関する本明細書で開示したＵＥによる他の動作を実行してもよい。
【０１１４】
図１４は、いくつかの実施形態による、本明細書で開示する動作を実行する、図１２のネットワークノード１２００などのネットワークノード内に常駐するモジュールを示す図である。ネットワークノードには、同期レベル決定モジュール１４００、ＵＥ非同期型ＤＣまたは同期型ＤＣ決定モジュール１４０２、規則選択モジュール１４０４、ＵＥ構成モジュール１４０６、および測定ギャップ長構成モジュール１４０８が含まれる。同期レベル決定モジュール１４００は、ＵＥにおいて受信された、ＭＣＧおよびＳＣＧのサブフレーム境界からの信号の同期レベルを決定するように動作する。ＵＥ非同期型ＤＣまたは同期型ＤＣ決定モジュール１４０２は、ＵＥが非同期型ＤＣにおいて設定されているかどうか、または非同期型ＤＣと同期型ＤＣのどちらでＵＥが動作しているかをネットワークノードが同期レベルから確認することが不可能でないかどうかを決定するように動作する。規則選択モジュール１４０４は、決定モジュール１４０２の決定結果に基づき、１つまたは複数の基準に基づいて複数の事前規定された規則の中から１つの規則を選択するように動作する。このとき、選択された、１つの事前規定された規則により、ＵＥは、ＭＣＧおよびＳＣＧにおける測定ギャップ長を決定するために、ＭＣＧおよびＳＣＧからのサブフレームをペアリングすることが可能となる。ＵＥ構成モジュール１４０６は、複数の事前規定された規則の中から選択された１つの規則を用いてＵＥを設定するように動作する。測定長構成モジュール１４０８は、測定ギャップ長に基づく１つまたは複数の無線測定の実行に向けて動作するために、測定ギャップ長を用いてＵＥを設定するように動作する。モジュール１４００〜１４０８は、図１〜１２に関する本明細書で開示したネットワークノードによる他の動作を実行してもよい。
【０１１５】
９．  略語
本明細書では、略語は以下の通りに規定されており、その一部は、続く本発明の記述の中でとりあげられるものである。
ＣＡ  キャリアアグリゲーション
ＣＣ  コンポーネントキャリア
ＣＧ  セルグループ
ＣＧＩ  セルグローバル識別子
ＤＣ  デュアルコネクティビティ
ｅＮＢ  Ｅ−ＵＴＲＡＮ  Ｎｏｄｅ  Ｂ、またはエボルブドＮｏｄｅ  Ｂ
ＦＤＤ  周波数分割複信
ＭＣＧ  マスタセルグループ
ＭｅＮＢ  マスタｅＮＢ
ＭＧＬ  測定ギャップ長
ＭＩＢ  マスタ情報ブロック
ＰＣＣ  プライマリコンポーネントキャリア
ＰＣｅｌｌ  プライマリセル
ＰＤＣＣＨ  物理下りリンク制御チャネル
ＰＳＣ  プライマリサービングセル
ＲＡＴ  無線アクセス技術
ＲＬＭ  無線リンク監視
ＲＩＰ  受信干渉電力
ＲＲＣ  無線リソース制御
ＲＲＭ  無線関連測定
ＲＳＴＤ  参照信号時間差異
ＳＣＣ  セカンダリコンポーネントキャリア
ＳＣｅｌｌ  セカンダリセル
ＳＣＧ  セカンダリセルグループ
ＳｅＮＢ  セカンダリｅＮＢ
ＳＦＮ  システムフレーム番号
ＳＩ  システム情報
ＳＩＢ  セカンダリ情報ブロック
ＳＳＣ  セカンダリサービングセル
ＴＡ  タイミングアドバンス
ＴＤＤ  時分割複信
ＵＥ  ユーザ機器
【０１１６】
１０．  その他の規定および実施形態
本開示の種々の実施形態に関する以上の記述に関し、そこで使用された術語は、特定の実施形態の記述のみを目的としており、本発明を限定するためのものではないことが理解されよう。別段の規定がない限り、本明細書で使用されるすべての用語（技術的および学術的用語を含む）は、本開示が属する技術分野の当業者が一般的に理解するのと同じ意味を持つ。さらに、たとえば一般的に使用される辞書で規定されるような用語は、本明細書および関連技術分野の文脈においてそれらが持つ意味と矛盾しない意味を持つものと解釈すべきであり、本明細書で明確な規定がなされない限りは、理想化された、または過度に形式的な意味に解釈されるものではないということも理解されよう。
【０１１７】
ある要素が、別の要素に対し、「接続される」、「結合される」、「応答する」、またはその変形と表現される場合、前者は後者に対し、直接的に、接続、結合、または応答するものであってよく、あるいは、そこに介在要素が存在しても構わない。それに対し、ある要素が、別の要素に対し、「直接的に接続される」、「直接的に結合される」、「直接的に応答する」、またはその変形と表現される場合では、介在要素は存在しない。本出願全体を通して、類似する番号は、類似する要素を指すものである。さらに、本明細書で使用される「結合される」、「接続される」、「応答する」、またはその変形という表現には、ワイヤレスで結合、接続、または応答することも含まれ得る。文脈上、別段の明確な断りがない限り、本明細書において、「ある（ａ）」、「ある（ａｎ）」、および「その（ｔｈｅ）」という単数的な表現は、複数的な表現も包含することを意図している。よく知られている機能または構造については、簡潔および／または明瞭なものとするために、詳細に記述していない場合もある。「および／または（ａｎｄ／ｏｒ）」という用語は、列挙される１つまたは複数の関連項目の任意の組み合わせ、およびすべての組み合わせを包含する。
【０１１８】
本明細書で使用される、「備える（ｃｏｍｐｒｉｓｅ）」、「備える（ｃｏｍｐｒｉｓｉｎｇ）」、「備える（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」、またはその変形という用語は、オープンエンドな表現であり、明言された特徴、整数、要素、ステップ、構成要素、または機能を１つまたは複数含むものであるが、それら以外の特徴、整数、要素、ステップ、構成要素、機能、またはこれらのグループが１つまたは複数、存在する、または追加されることを妨げるものではない。さらに、本明細書で使用される、ラテン語の成句である「ｅｘｅｍｐｌｉ  ｇｒａｔｉａ」から派生した「ｅ．ｇ．（たとえば）」という一般的略語は、先に言及された項目の普遍的な例を紹介または指定するのに用いられ得るものであって、かかる項目に限定するためのものではない。ラテン語の成句である「ｉｄ  ｅｓｔ」から派生した「ｉ．ｅ．（すなわち）」という一般的略語は、より普遍的な表現から特定の項目を指定するのに使用され得る。
【０１１９】
コンピュータ実装される方法、装置（システムおよび／またはデバイス）、および／またはコンピュータプログラム製品に関する、ブロック図および／またはフローチャート描写を参照しながら、例示的実施形態を本明細書に記述した。ブロック図および／またはフローチャート描写のブロック、ならびにブロック図および／またはフローチャート描写におけるブロックの組み合わせは、１つまたは複数のコンピュータ回路によって実行される、コンピュータプログラム命令によって実装され得ることが理解されよう。これらのコンピュータプログラム命令は、汎用コンピュータ回路、専用コンピュータ回路、および／またはマシンのプロデュースを目的とする他のプログラマブルデータ処理回路に関連した、プロセッサ回路に対して提供され得るものであり、それによって、コンピュータおよび／または他のプログラマブルデータ処理装置のプロセッサを介して作動する同命令は、ブロック図および／またはフローチャートブロック内で指定される機能／作用を実装するためにかかる回路内に含まれる、トランジスタ、メモリ位置に記憶された値、および他のハードウェアコンポーネントを変容および制御することにより、ブロック図および／またはフローチャートブロック内で指定される機能／作用の実装に向けた手段（機能）および／または構造を創造する。
【０１２０】
これらのコンピュータプログラム命令は、コンピュータまたは他のプログラマブルデータ処理装置が特定の様式で機能するように指示することが可能な有形のコンピュータ可読媒体に記憶することも可能であり、それによって、同コンピュータ可読媒体に記憶される同命令は、ブロック図および／またはフローチャートブロック内で指定される機能／作用を実装する命令を含む製造物品をプロデュースする。
【０１２１】
有形の非一時的コンピュータ可読媒体には、電子的、磁気的、光学的、電磁的、または半導体による、データ記憶システム、装置、またはデバイスが含まれ得る。コンピュータ可読媒体のより具体的な例としては、ポータブルコンピュータディスケット、ランダムアクセスメモリ（ＲＡＭ）回路、リードオンリメモリ（ＲＯＭ）回路、消去可能プログラマブルリードオンリメモリ（ＥＰＲＯＭまたはフラッシュメモリ）回路、ポータブルコンパクトディスクリードオンリメモリ（ＣＤ−ＲＯＭ）、およびポータブルデジタル動画ディスクリードオンリメモリ（ＤＶＤ／ＢｌｕｅＲａｙ）が挙げられる。
【０１２２】
コンピュータプログラム命令は、コンピュータおよび／または他のプログラマブルデータ処理装置にロードして、一連の動作ステップをコンピュータおよび／または他のプログラマブル装置上で実装させることでコンピュータ実装される処理をプロデュースすることも可能であり、それによって、コンピュータまたは他のプログラマブル装置上で作動する同命令は、ブロック図および／またはフローチャートブロック内で指定される機能／作用を実装するためのステップを提供する。したがって、本開示の実施形態は、ハードウェア内、および／または、集合的に「回路」、「モジュール」、もしくはその変形と呼ぶことが可能なデジタル信号プロセッサなどのプロセッサ上で動くソフトウェア（ファームウェア、常駐ソフトウェア、マイクロコード、など）内で具現化することが可能である。
【０１２３】
いくつかの代替的実装形態では、ブロック内に記された機能／作用が、フローチャートに記された順序から外れて生じ得ることにも留意されたい。たとえば、連続で示された２つのブロックは、関連する機能／作用に応じて、事実上同時に作動させることが可能であり、ときにはブロックを逆順で実行することも可能である。さらに、フローチャートおよび／またはブロック図の所与のブロックの機能が複数のブロックに分割されてもよく、かつ／または、フローチャートおよび／またはブロック図の２つ以上のブロックの機能が少なくとも部分的に統合されてもよい。最後に、他のブロックが、描写されたブロック同士の間に追加／挿入されてもよい。さらに、いくつかの図面には通信の主な方向を示す通信経路上の矢印が含まれているが、通信は矢印が示す方向とは逆向きに発生し得ることは理解されよう。
【０１２４】
上記の記述および図面と関連付けて、本明細書では多種多様な実施形態を開示した。これらの実施形態のすべての組み合わせおよび副組み合わせを逐次的に記述し描写するために、過度の繰り返しや難読化がなされた可能性もあることは理解されよう。したがって、図面も含めた本明細書は、各実施形態に関するさまざまな例示的組み合わせおよび副組み合わせと、それらを作成し使用する様式および処理とについての、書面による完全な記述を構成するためのものと解釈されるべきであり、かかる組み合わせまたは副組み合わせの一切に対する特許請求を支援するものとなる。
【０１２５】
各実施形態に対しては、多数の変形および修正が、本発明の原理から大きく逸脱することなしになされ得る。そのような変形および修正も本発明の範囲内に含まれるものと本明細書では意図されている。
【図１】
2018502479.tif 000004
【図２】
2018502479.tif 000005
【図３（ａ）】
2018502479.tif 000006
【図３（ｂ）】
2018502479.tif 000007
【図３（ｃ）】
2018502479.tif 000008
【図４】
2018502479.tif 000009
【図５】
2018502479.tif 000010
【図６】
2018502479.tif 000011
【図７】
2018502479.tif 000012
【図８】
2018502479.tif 000013
【図９】
2018502479.tif 000014
【図１０】
2018502479.tif 000015
【図１１】
2018502479.tif 000016
【図１２】
2018502479.tif 000017
【図１３】
2018502479.tif 000018
【図１４】
2018502479.tif 000019
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
非同期的なデュアルコネクティビティ（ＤＣ）において設定される、ユーザ機器（ＵＥ）による方法であって、
ネットワークノードから、測定ギャップの構成情報を、１つまたは複数の無線測定を実行するために、受信すること（６００）と、
ＳＣＧにおける測定ギャップ長の開始部を、サブフレームペアを用いて設定すること（６０４）であって、
それにより、マスタセルグループ（ＭＣＧ）とセカンダリセルグループ（ＳＣＧ）の間で、前記ＳＣＧ内の測定ギャップ長を設定可能な前記ＭＣＧ内の測定ギャップ長に関してサブフレームペアが構成され、
前記ＳＣＧ内の前記測定ギャップ長の第１のサブフレームが、前記ＭＣＧギャップ中の第１のサブフレームの直後に開始するものとして特定される、前記ＳＣＧ内の前記サブフレームとなり、
前記ＵＥが、前記ＳＣＧの前記測定ギャップ長の前記第１のサブフレームの直前のサブフレームではＳＣＧにおけるデータを受信および送信しない、設定すること（６０４）と、
前記設定された測定ギャップ長の範囲内で、前記ＳＣＧにおける１つまたは複数の無線測定を実行すること（６０６）と
を含む、方法。
【請求項２】
前記ＵＥにおいて受信される、前記ＭＣＧおよび前記ＳＣＧのサブフレーム境界からの信号の同期レベルを決定すること（８０２）と、
前記同期レベルに基づき、前記ＭＣＧと前記ＳＣＧの間のサブフレームペアの決定（６０２）を実行するか否かを決定すること（８０４）と、
前記ＭＣＧおよび前記ＳＣＧにおける前記測定ギャップ長を、前記ＭＣＧと前記ＳＣＧの間のサブフレームペアの決定（６０２）を実行することによって決定された前記ＭＣＧと前記ＳＣＧの間のサブフレームペアに基づき、決定すること（８０６）と、
前記決定された測定ギャップ長を用いて特定された測定ギャップ中に無線測定を実行すること（８０８）と
をさらに含む、請求項１に記載の方法。
【請求項３】
前記ＵＥにおいて受信される、前記ＭＣＧおよび前記ＳＣＧのサブフレーム境界からの信号の同期レベルを決定すること（８０２）が、
前記ＵＥにおいて受信される、前記ＭＣＧおよび前記ＳＣＧからの信号の受信時間差異に基づき、前記同期レベルを決定すること
を含む、請求項２に記載の方法。
【請求項４】
非同期的なデュアルコネクティビティ（ＤＣ）において設定される、ユーザ機器（ＵＥ）（１１００）であって、
ネットワークノード（１２００）から、測定ギャップの構成情報を、１つまたは複数の無線測定を実行するために、受信すること（６００）と、
ＳＣＧにおける測定ギャップ長の開始部を、サブフレームペアを用いて設定すること（６０４）であって、
それにより、マスタセルグループ（ＭＣＧ）とセカンダリセルグループ（ＳＣＧ）の間で、前記ＳＣＧ内の測定ギャップ長を設定可能な前記ＭＣＧ内の測定ギャップ長に関してサブフレームペア、
前記ＳＣＧ内の前記測定ギャップ長の第１のサブフレームが、前記ＭＣＧギャップ中の第１のサブフレームの直後に開始するものとして特定される、前記ＳＣＧ内のサブフレームとなり、
前記ＵＥが、前記ＳＣＧの前記測定ギャップ長の前記第１のサブフレームの直前のサブフレームではＳＣＧにおけるデータを受信および送信しない、設定すること（６０４）と、
前記設定された測定ギャップ長の範囲内で、前記ＳＣＧにおける１つまたは複数の無線測定を実行すること（６０６）と
を行うように設定される、ＵＥ（１１００）。
【請求項５】
前記ＵＥにおいて受信される、前記ＭＣＧおよび前記ＳＣＧのサブフレーム境界からの信号の同期レベルを決定すること（８０２）と、
前記同期レベルに基づき、前記ＭＣＧと前記ＳＣＧの間のサブフレームペアの決定（６０２）を実行するか否かを決定すること（８０４）と、
前記ＭＣＧおよび前記ＳＣＧにおける前記測定ギャップ長を、前記ＭＣＧと前記ＳＣＧの間のサブフレームペアの決定（６０２）を実行することによって決定された前記ＭＣＧと前記ＳＣＧの間のサブフレームペアに基づき、決定すること（８０６）と、
前記決定された測定ギャップ長を用いて特定された測定ギャップ中に無線測定を実行すること（８０８）と
を行うようにさらに設定される、請求項４に記載のＵＥ（１１００）。
【請求項６】
前記ＵＥにおいて受信される、前記ＭＣＧおよび前記ＳＣＧのサブフレーム境界からの信号の同期レベルを決定すること（８０２）が、
前記ＵＥにおいて受信される、前記ＭＣＧおよび前記ＳＣＧからの信号の受信時間差異に基づき、前記同期レベルを決定すること
を含む、請求項５に記載のＵＥ（１１００）。
【請求項７】
デュアルコネクティビティ（ＤＣ）において設定される、ユーザ機器（ＵＥ）にサーブするネットワークノードによる方法であって、
前記ＵＥにおいて受信される、マスタセルグループ（ＭＣＧ）およびセカンダリセルグループ（ＳＣＧ）のサブフレーム境界からの信号の同期レベルを決定すること（９００）と、
前記ＵＥが非同期型ＤＣにおいて設定されているかどうか、または非同期型ＤＣと同期型ＤＣのどちらで前記ＵＥが動作しているかを前記ネットワークノードが前記同期レベルから確認することができないかどうかを決定すること（９０２）と、
前記ＵＥが非同期型ＤＣにおいて設定されている、または非同期型ＤＣと同期型ＤＣのどちらで前記ＵＥが動作しているかを前記ネットワークノードが前記同期レベルから確認することが不可能であるという決定（９０２）に基づいて、
１つまたは複数の基準に基づき、複数の既定の規則のうちの１つを選択すること（９０４）であって、前記既定の規則のうちの前記選択された１つが、前記ＵＥが前記ＭＣＧおよび前記ＳＣＧにおける測定ギャップ長を決定するために前記ＭＣＧおよび前記ＳＣＧからのサブフレームをペアリングすることを可能にする、選択すること（９０４）と、
前記ＵＥに、前記複数の既定の規則のうちの前記選択された１つを設定すること（９０６）と、
前記測定ギャップ長に基づく１つまたは複数の無線測定を実行するよう動作させるために、前記ＵＥに前記測定ギャップ長を設定すること（９０８）と
を含む、方法。
【請求項８】
前記ＵＥに、前記複数の既定の規則のうちの前記選択された１つを設定すること（９０６）が、
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することを含む、請求項７に記載の方法。
【請求項９】
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することが、
規定されたタイムスロット内で相互に重なる前記ＭＣＧ内のサブフレームと前記ＳＣＧ内のサブフレームとして前記サブフレームペアのうちの１つを特定するように前記ＵＥを設定するための前記構成情報を送信することを含む、請求項８に記載の方法。
【請求項１０】
前記ＭＣＧと前記ＳＣＧの間で、前記ＳＣＧ内の前記測定ギャップ長を設定可能な前記ＭＣＧ内の前記測定ギャップ長に関してサブフレームペアの決定（６０２）を行うように前記ＵＥを設定するための構成情報を送信することが、
ＭＣＧギャップ中の規定されたサブフレームの後に開始する前記ＳＣＧ内のサブフレームを特定するように前記ＵＥを設定するための前記構成情報を送信することを含む、請求項８に記載の方法。
【請求項１１】
ＵＥが測定ギャップの前または後のサブフレームでの送信のためにスケジューリングされないように、前記ＵＥにアサインするリソースをスケジューリングすること
をさらに含む、請求項７に記載の方法。
【請求項１２】
前記測定ギャップの前または後の前記サブフレームにおいて送信することが可能な別のＵＥにアサインするリソースをスケジューリングすること
をさらに含む、請求項１１に記載の方法。
【請求項１３】
デュアルコネクティビティ（ＤＣ）において設定される、ユーザ機器（ＵＥ）（１１００）にサーブするネットワークノード（１２００）であって、
前記ＵＥ（１１００）において受信される、マスタセルグループ（ＭＣＧ）およびセカンダリセルグループ（ＳＣＧ）のサブフレーム境界からの信号の同期レベルを決定すること（９００）と、
前記ＵＥ（１１００）が非同期型ＤＣにおいて設定されているかどうか、または非同期型ＤＣと同期型ＤＣのどちらで前記ＵＥ（１１００）が動作しているかを前記ネットワークノード（１２００）が前記同期レベルから確認することができないかどうかを決定すること（９０２）と、
前記ＵＥ（１１００）が非同期型ＤＣにおいて設定されている、または非同期型ＤＣと同期型ＤＣのどちらで前記ＵＥ（１１００）が動作しているかを前記ネットワークノード（１２００）が前記同期レベルから確認することが不可能であるという決定（９０２）に基づいて、
１つまたは複数の基準に基づき、複数の既定の規則のうちの１つを選択すること（９０４）であって、前記既定の規則のうちの前記選択された１つが、前記ＵＥ（１１００）が前記ＭＣＧおよび前記ＳＣＧにおける測定ギャップ長を決定するために前記ＭＣＧおよび前記ＳＣＧからのサブフレームをペアリングすることを可能にする、選択すること（９０４）と、
前記ＵＥ（１１００）に、前記複数の既定の規則のうちの前記選択された１つを設定すること（９０６）と、
前記測定ギャップ長に基づく１つまたは複数の無線測定を実行するよう動作させるために、前記ＵＥ（１１００）に前記測定ギャップ長を設定すること（９０８）と
を行うようにさらに設定される、ネットワークノード（１２００）。
【手続補正２】
【補正対象書類名】明細書
【補正対象項目名】００３０
【補正方法】変更
【補正の内容】
【００３０】
既存の手法に伴う潜在的問題
現在、測定ギャップ長は、デュアルコネクティビティにおけるＣＧごとに独立して規定されている。これは、デュアルコネクティビティにおいてＳＦＮ同期が想定されない場合、ＵＥは、ＭＣＧ内で設定されたＭＧＬを基準にして、ＳＣＧのためのＭＧＬをどのサブフレームに対して実施するかについての情報を持たない、ということを意味する。３ＧＰＰドラフトの「Ｍｅａｓｕｒｅｍｅｎｔ  ｇａｐ−ｌｅｎｇｔｈ  ａｎｄ  ｉｎｔｅｒｒｕｐｔｉｏｎｓ  ｉｎ  ｄｕａｌ  ｃｏｎｎｅｃｔｉｖｉｔｙ」（Ｒ４−１４５０１４）および「ＵＥ  ｂｅｈａｖｉｏｒ  ｏｎ  ｍｅａｓｕｒｅｍｅｎｔ  ｇａｐｓ  ｆｏｒ  ｄｕａｌ  ｃｏｎｎｅｃｔｉｖｉｔｙ」（Ｒ４−１４４２７６）では、非同期型および同期型のデュアルコネクティビティのための測定ギャップ長（ＭＧＬ）が開示されている。
【国際調査報告】
2018502479.tif 000020
2018502479.tif 000021